(57)【特許請求の範囲】
【請求項１】
水性共溶媒混合物に溶解する溶質を含む溶液であって、前記水性共溶媒が、水と少なくとも１種類のアルキルケタールエステルを含む混合物であり、前記アルキルケタールエステルが式（ＩＩ）
【化１】
0005613763.tif 000030
または式（ＩＩＩ）
【化２】
0005613763.tif 000031
または式（ＩＶ）
【化３】
0005613763.tif 000032
または式（Ｖ）
【化４】
0005613763.tif 000033
（式中、Ｒ５はメチル、エチル、ｎ−プロピルまたはｎ−ブチルである）
の構造を有する溶液を含む、洗浄製品。
【請求項２】
前記溶質が、水９９重量％に対して１重量％以下の水溶性を有する少なくとも１種類の有機化合物を含む、請求項１に記載の洗浄製品。
【請求項３】
前記溶質が、水８０重量％に対して２０重量％未満の水溶性を有し、（１）アルキルケタールエステル、（２）界面活性剤、（３）最高で３０個の炭素原子を有する直鎖状、分枝鎖状もしくは環状の脂肪族炭化水素、（４）２〜２０個の炭素原子を有し、かつ沸点が少なくとも１００℃であるα−オレフィン、（５）芳香族化合物、（６）各アルキル基が１〜１２個の炭素原子を含むモノアルキルベンゼンまたはポリアルキルベンゼン、（７）塩化アルカン、（８）臭化アルカン、（９）テルペン、（１０）融点が４５℃未満であり、分子量が少なくとも１９０であり、少なくとも１個のアミド基、もしくはエステル基、および、少なくとも８個の炭素原子を含む少なくとも１つのアルキル鎖を含み、かつ水９９重量％に対して１重量％以下の水溶性を有する非イオン性有機化合物、（１１）グリコールエーテル、（１２）グリコールエーテルアセテート、（１３）融点４５℃未満であり、かつ水９９重量％に対して１重量％以下の水溶性を有する非イオン性有機シリコーン化合物、（１４）少なくとも８個の炭素原子を含む長鎖アルコールまたは（１５）ワックスのうちの１つ以上から選択される、請求項１または２に記載の洗浄製品。
【請求項４】
前記水性共溶媒混合物が、分子量が２５０以下の、水８０重量％に対して２０重量％以上の水溶性を有する溶媒（複数可）をさらに含む、請求項１〜３のいずれかに記載の洗浄製品。
【請求項５】
前記溶質が水に対する前記溶質の溶解限度よりも高い濃度で存在する、請求項１〜４のいずれかに記載の洗浄製品。
【請求項６】
水およびアルキルケタールエステルを含む少なくとも１つの連続相を含むエマルションであって、前記アルキルケタールエステルが式（ＩＩ）
【化５】
0005613763.tif 000034
または式（ＩＩＩ）
【化６】
0005613763.tif 000035
または式（ＩＶ）
【化７】
0005613763.tif 000036
または式（Ｖ）
【化８】
0005613763.tif 000037
（式中、Ｒ５はメチル、エチル、ｎ−プロピルまたはｎ−ブチルである）
の構造を有するエマルションを含む、洗浄製品。
【請求項７】
硬表面用洗浄剤、オーブン用洗浄剤、油性洗浄剤、食器洗浄製品、洗濯用液体製品または軟表面用洗浄剤である、請求項１〜６のいずれかに記載の洗浄製品。
【請求項８】
パーソナルケア洗浄製品である、請求項１〜６のいずれかに記載の洗浄製品。
【請求項９】
少なくとも１種類の髪用コンディショナーをさらに含み、パーソナルケア洗浄製品である、請求項１〜５のいずれかに記載の洗浄製品。
【請求項１０】
分散相に存在する少なくとも１種類の髪用コンディショナーをさらに含み、パーソナルケア洗浄製品である、請求項６に記載の洗浄製品。
【請求項１１】
ａ）水を２０〜９９重量％；
ｂ）少なくとも１種類のアルキルケタールエステル（複数可）を０．１〜２５重量％；ならびに
ｃ）少なくとも１種類の界面活性剤を０．１〜２０重量％
を含む洗浄製剤であって、
前記アルキルケタールエステルが式（ＩＩ）
【化９】
0005613763.tif 000038
または式（ＩＩＩ）
【化１０】
0005613763.tif 000039
または式（ＩＶ）
【化１１】
0005613763.tif 000040
または式（Ｖ）
【化１２】
0005613763.tif 000041
（式中、Ｒ５はメチル、エチル、ｎ−プロピルまたはｎ−ブチルである）
の構造を有する、洗浄製剤。
【請求項１２】
水を５０〜９５重量％、少なくとも１種類の界面活性剤を１〜１０重量％、および構成成分ｂ）を０．１〜１０重量％を含む、請求項１１に記載の洗浄製剤。
【請求項１３】
水を１〜８０重量％、アルキルケタールエステルを１〜４０重量％、ならびに界面活性剤を０．１〜１０重量％含む洗浄製剤であって、
前記アルキルケタールエステルが式（ＩＩ）
【化１３】
0005613763.tif 000042
または式（ＩＩＩ）
【化１４】
0005613763.tif 000043
または式（ＩＶ）
【化１５】
0005613763.tif 000044
または式（Ｖ）
【化１６】
0005613763.tif 000045
（式中、Ｒ５はメチル、エチル、ｎ−プロピルまたはｎ−ブチルである）
の構造を有する、洗浄製剤。
【請求項１４】
請求項１１〜１３のいずれかの組成物を汚れ基質と接触させることと、その後、除去された汚れと共に前記組成物の洗浄剤を除去することとを含む、汚れの基質を洗浄する方法。
【発明の詳細な説明】
【技術分野】
【０００１】
本出願は、２００９年５月２９日に出願した米国仮特許出願第６１／１８２，４０７号の利益を主張する。
【０００２】
本発明は、洗浄製品としてまたは他の用途に有用な製剤化された組成物に関し、これは、特定のアルキルケタールエステルの化合物を含む。
【背景技術】
【０００３】
多数の製剤化された製品が生産および販売されている。これらの製品の１つの広い分類には様々な種類の洗浄製品が含まれ、これらは工業用途、家庭用途または他の洗浄用途に使用され得る。
【０００４】
洗浄剤の先行技術は種類が豊富である。多数の洗剤および洗浄剤の参考文献では、洗浄組成物の水溶液、水性濃縮物、粉末または固体の製剤として作ることができる様々な製剤について論じられている。これまでに作られてきたこのような洗浄剤の様々な用途には、硬表面用洗浄剤、手動および自動の食器洗浄機用製剤、洗濯用製剤、深鍋および平鍋用油性洗浄剤製剤、床用洗浄剤、ガラス用洗浄剤、皮膚用洗浄剤、シャンプーなどが含まれる。このような製剤は様々な成分を含む傾向があるが、少なくとも界面活性剤を含む場合が多く、１種類以上の促進添加剤または溶媒構成成分を含んでもよい。洗浄剤には、任意に、ビルダー、隔離剤、第２の溶媒、漂白剤（塩素系または酸素系）、および香料、染料などの他の非機能性成分が含まれ得る。
【０００５】
これらの様々な種類の製品は、それらが使用される条件と同様に非常に異なるので、個々の製品は、意図される最終使用用途のために特別に製剤化される傾向がある。その都度、製剤選択を推進するいくつかの関心事がある。
【０００６】
単純に、その製品が意図される機能（複数可）を果たすことができると定義され得る製品の有効性が、もちろん基本的な関心事である。
【０００７】
場合によっては、ある特定の種類の物質が製品中に含まれないようにすることでさらに別の制約が望まれる。例えば、多くの製品は、少なくともある程度、多くの一般的な有機溶媒を含む揮発性有機化学物質を除去するように再製剤化される。いくつかの製品において、水を排除するかまたは最小限にすることが必要である。さらに他の製品において、様々な理由から、他の特定の物質が排除される必要性があるかもしれない。
【０００８】
他の場合において、化石燃料に基づく化学物質を、毎年再生可能な原料に由来する化学物質と置き換えることが望ましい。
【０００９】
もちろん、常に、価格は関心事である。
【００１０】
多くの場合に、製品の物理的形態も重要である。製品の物理的形態は、その製品の使用法によって制約される可能性がある。特定の用途には、粘性の低い液体、粘性の高い液体、クリーム、ペースト、ゲル、粉末、さらには固体の形態にある製品が必要とされるかもしれない。
【００１１】
これらの製剤化された製品は、互いに非混和性か、または非常に限られた混和性を有する成分を含む場合が多くある。これは、一般に、油または他の極めて非極性の成分も含む水溶液系に見られる。この非混和性は、少なくとも２つの問題を引き起こし得る。１つ目は、特に、必要とされる製品形態が、粘性が低い液体かまたは透明な液体もしくはゲルである時に、非混和性物質を製剤化して、特定の用途に必要な製品形態を生み出すことが難しい場合があることである。２つ目の問題は、正しい製品形態を得ることができたとしても、構成成分が徐々に複数層に分離する場合があることである。製品は、通常、消費者の元に届くまで、数週間または数カ月間保管され、さらにその後、すぐには使用されない可能性があるので、層分離は非常に重要な問題である。これらの問題を避けるために、様々な種類の乳化剤、分散剤、増粘剤または共溶媒をこれらの製品の中に導入する必要がある場合が多い。これにより複雑さがもたらされ、価格が上昇し、場合によっては、揮発性有機化学物質の減少または排除などの他の目的を損ねる可能性がある。
【発明の概要】
【００１２】
以下の構造Ｉに含まれる特定のアルキルケタールエステルが、多くの製剤化された製品に利点を提供する優れた製剤成分であることを出願者らは発見した。このアルキルケタールエステルは広範囲の物質にとって優れた溶媒である。それらの多くは、水もしくは他の有機溶媒、またはそれらの両方と混和性がある。本明細書記載のアルキルケタールエステルの揮発性は低い。製造、保管、および使用の通常の条件下において、このアルキルケタールエステルは、通常、製剤化製品に一般に見られる多くの他の物質と反応しない。
【００１３】
これらの特性により、アルキルケタールエステルは、広範な洗剤組成物または製剤に使用できる。場合によっては、このアルキルケタールエステル自体は、様々な種類の汚れおよび油脂類に対するその溶解性により、洗浄剤として機能し、改善された洗浄特性を洗浄剤製品に与えることができる。他の場合において、構造Ｉによるアルキルケタールエステルは、製品製剤中の１種類以上の他の成分に対して溶媒、共溶媒または乳化剤として主に機能することができる。このアルキルケタールエステルは、場合によっては、１種類以上の成分をこの製品製剤に可溶化するか、または溶媒もしくは担体の液体に可溶化するように機能することができる。他の場合において、このアルキルケタールエステルは、１種類以上の構成成分をこの製品製剤の他の構成成分に相溶化させ、例えば、非常に保管に安定し得るエマルションを形成することができる。このアルキルケタールエステル（複数可）は、場合によっては、互いに不適合な物質を安定形態に製剤化することを可能にする一方で、揮発性の有機化合物などの望まない成分を減少または排除する。
【００１４】
このアルキルケタールエステルは、洗浄製品製剤において、以下の特性：多くの水溶液または一部の水溶液中での安定性；多くの非水溶液中での安定性；塩素系または酸素系の漂白剤との適合性；製剤製品中に一般に見られる多くの製剤成分との適合性；および様々な汚れを多くの基質から除去する有効性のうちの１種類以上を示す。
【発明を実施するための形態】
【００１５】
一態様において、本発明は、水および、溶液中に存在する水にそれらの相対的比率で混和性がある以下の構造Ｉによる少なくとも１種類のアルキルケタールエステルを含む水性共溶媒混合物中の溶質溶液について記載する。
【００１６】
「溶液」とは「真」の溶液を意味し、構成成分は分子レベルで均一に混合されるか、または任意の他の巨視的に均一な混合物であり、その際、溶質は可視光波長よりも小さい小滴の形態で存在し、混合物は透明である。分子が分散していない場合、溶質は、約２００ｎｍよりも小さい小滴の形態で存在しなければならない。
【００１７】
用語「混和性（ｍｉｓｃｉｂｌｅ）」およびそのバリエーション（「混和性（ｍｉｓｃｉｂｉｌｉｔｙ）」など）を、その用語を上記で定義したような「溶解性」の同義語として本明細書で使用する。物質は、別の物質に完全にまたは部分的に混和性があってもよい。本明細書で使用する、別の物質に混和性があるといわれる物質は、さらなる資質を必要とせず、全比率においてその他の物質と混和性がある。すなわち２種類の構成成分のみを含む混合物は、９９．９：０．１〜０．１：９９．９の全重量比において透明で、均一な溶液を形成する。他の物質８０％に対して少なくとも２０％の程度までこの他の物質に可溶化する場合、物質は別の物質に対して混和性が高いと言われ、５０％の他の物質に対して少なくとも５０％の程度まで他の物質に溶解性があることが好ましい。「混和性が高い」物質は、その他の物質０．１％に対して９９．９％の程度まで、およびそれより低い全比率でこの他の物質に溶解性があってもよい。それに対して非混和性（以下で定義する）か、またはそうでなければ、他の物質８０％に対して２０％の程度までその他の物質に溶解しない場合、物質は、別の物質に対して「混和性がやや低い」（または「低い混和性」を有する）と言われる。混和性がやや低い物質は、その他の物質９０％に対してわずか１０％の程度までその他の物質に溶解してもよく、その他の物質９５％に対してわずか５％の程度までその他の物質に溶解してもよい。他の物質９９％に対して少なくとも１％の程度までその他の物質にそれ自体溶解しない場合、物質は、別の物質に「非混和性」であると言われる。特に記述しない限り、混和性は２５℃で評価される。
【００１８】
「巨視的に均一」とは、少なくとも１０μｍの長さ尺度で見た時に、組成物が均一であることを意味する。
【００１９】
非常に多くの場合において、共溶媒混合物には、水およびこのアルキルケタールエステルが含まれ、溶質は水に対して混和性が最も低い。このような場合において、本発明の共溶媒混合物は、水それ自体よりも溶質に対してより優れた溶媒である場合が多い。この優れた溶媒効果は、水のみに溶解できる量よりも多くの溶質を溶解させることが可能であり、このように、単に水のみの中で形成できる溶液よりも高濃度の溶質溶液を形成することができる。場合によっては、改善された溶解性は、溶質（複数可）が溶解された状態のままであり得る温度範囲を拡大する。いくつかの実施形態において、このアルキルケタールエステルが存在すると、低温度安定性または高温度安定性を改善することができる。この特性は、溶液を保管および使用できる温度範囲の許容度を広げることができる。広い温度範囲にわたって安定な溶液を維持する能力は、非イオン性界面活性剤を含む洗浄製品において特に重要である。非イオン性界面活性剤は温度が上昇するにつれ、水溶性が低くなる傾向にあり、それゆえに、それらの界面活性剤を含む従来の製品は、溶液が加熱された時、濁るかまたは別々の層をさらに形成するという問題を起こす場合が多い。他の場合において、界面活性剤は、温度が低下するにつれて、水溶性が低くなり、これらの界面活性剤を含む製品は、溶液が冷却されるにつれて濁るかまたは別々の層を形成する場合が多い。アルキルケタールエステルが存在すると、冷却の際、界面活性剤を含む水溶液が濁るかまたは分離する傾向が減少する場合が多い。
【００２０】
本発明のこの態様による溶液は、本明細書記載の一般的な種類のいずれかの製剤化された洗浄製品の全てまたは一部を構成するか、または別の種類の製品の全てまたは一部を構成してもよい。
【００２１】
水混和性が高い追加の物質は、以下にさらに詳細に記載するように、本発明のこの態様の溶液中に存在してもよい。例えば、水およびエタノールの両方は、少なくとも１種類のアルキルケタールエステルおよび少なくとも１種類の溶質と共に存在することができる。
【００２２】
以下の構造Ｉによる２種類以上のアルキルケタールエステルは、本発明のこの態様の溶液中に存在することができる。ある特定の実施形態において、少なくとも１種類の水混和性が高いアルキルケタールエステルが存在し、少なくとも１種類の水混和性がやや低いアルキルケタールエステルも存在する。
【００２３】
水およびこのアルキルケタールエステルを含む水性共溶媒混合物は、エマルション中の連続相または共連続相としても有用である。用語「エマルション」は、２種類以上の非混和性液相の混合物を示すために本明細書で使用され、その際、（ａ）これらの相の１つは連続的であり、これらの相の少なくとも１つは連続相の中で分散するか、または（ｂ）これらの相は共連続的である。この分散相は約１ｍｍ程度の小滴に分散されるべきであり、直径が１００μｍと同程度であることが好ましい。エマルションは、一般に、組成物の中で巨視的に均一である。それゆえに、別の態様において、本発明は、少なくとも１つの連続相および少なくとも１つの分散液相、または第１の共連続相および第２の共連続相を含むエマルションであり、その際、少なくとも１つの連続相または共連続相は、水および以下の構造Ｉによるアルキルケタールエステルを含む共溶媒混合物を含む。
【００２４】
それゆえに、別の態様において、本発明は、水およびアルキルケタールエステルを含む少なくとも１つの連続相を含むエマルションであり、このアルキルケタールエステルは、この連続相の中に存在するそれらの相対的比率で水と混和性がある。
【００２５】
別の態様において、本発明は界面活性剤および以下の構造Ｉによるアルキルケタールエステルを含む組成物である。この組成物は、いくつかの形態のいずれを取り得る。例えば、この界面活性剤をこのアルキルケタールエステルに溶解することができ、逆もまたあり得る。この界面活性剤およびアルキルケタールエステルは、１種類以上の追加の構成成分（その中で、水は重要な例である）と共に単相混合物（すなわち、溶液）を形成してもよい。このアルキルケタールエステルは連続相を形成するか、または連続相に存在してもよく（すなわち、その中に留まってもよく）、その中で、この界面活性剤はミセルまたは他の種類の分散相の形態で分散される。このような場合における連続相は、完全にこのアルキルケタールエステルからなるか、またはこのアルキルケタールエステルは、連続相の全てもしくは一部を形成する共溶媒混合物の構成成分を形成してもよい。別の形態において、任意に他の構成成分と共に、このアルキルケタールエステルおよびこの界面活性剤は共に、エマルションの分散相または共連続相を形成する。このアルキルケタールエステルおよびこの界面活性剤は、エマルションの中に別々の共連続相を形成するか、またはそれらの共連続相に存在することができる。この界面活性剤は、このアルキルケタールエステルおよび別の相を含む相の界面に、少なくとも部分的に存在することができる。この界面活性剤／アルキルケタールエステル組成物は固体の形態をとってもよく、この固体は微粒子の形態であってもよい。
【００２６】
これらの組成物は、もちろん、特定の組成物が意図される目的に必要であるかまたは望まれるように、界面活性剤およびこのアルキルケタールエステルに加えて、広範な数の成分を含んでもよい。それらの追加の成分の性質に応じて、これらの組成物は、以下にさらに詳細に記載するように、広範な洗浄製品を含む広範な製剤製品を形成するのに有用である。
【００２７】
別の態様において、本発明は、水の重量で２０〜９９重量％、少なくとも１種類のアルキルケタールエステルを０．１〜２５重量％、および少なくとも１種類の界面活性剤を０．１〜２０重量％含む洗浄製剤である。留意すべきは、本明細書全体を通して、特に記載されない限り、全ての割合は重量によるものであり、全組成物の重量％を表す。このアルキルケタールエステルは、適切には以下の構造Ｉに相当し、水混和性が高い種類、水混和性がやや低い種類、または両方の種類の混合物であってもよい。
【００２８】
別の態様において、本発明は、水を１〜８０％、アルキルケタールエステルを１〜４０重量％、および界面活性剤を０．１〜１０重量％含む洗浄製剤である。このアルキルケタールエステルは、適切には以下の構造Ｉに相当し、水混和性が高い種類、水混和性がやや低い種類、または両方の種類の混合物であってもよい。
【００２９】
別の態様において、本発明は、（ａ）水を４０〜７５重量％、（ｂ）少なくとも１種類のアルキルケタールエステルを０．１〜２５重量％、（ｃ）少なくとも１種類の界面活性剤ならびに構成成分ｈ）、ｉ）、およびｏ）の少なくとも１種類を含む洗浄組成物であり、ここで、ｈ）、ｉ）、およびｏ）は、ｈ）が少なくとも１種類のビルダーまたはキレート剤であり、ｉ）が少なくとも１種類の塩素系漂白剤もしくは非塩素系漂白剤であり、ｏ）が１種類以上の研磨剤である。このアルキルケタールエステルは、適切には以下の構造Ｉに相当し、水混和性が高い種類、水混和性がやや低い種類、または両方の種類の混合物であってもよい。いくつかの実施形態において、この態様の洗浄組成物は、ビルダーまたはキレート剤を最高で３０％、漂白剤を最高で１０％、および研磨剤を最高で３０％含む。
【００３０】
別の態様において、本発明は、ａ）水を５０〜９５重量％、少なくとも１種類のアルキルケタールエステルを０．１〜２５重量％、および少なくとも１種類の界面活性剤を０．１〜４５重量％、ならびにｈ）、ｉ）、ｏ）、ｑ）およびｒ）のうちの少なくとも１種類を含む洗濯用液体製剤であり、ここで、ｈ）、ｉ）、ｏ）、ｑ）およびｒ）は、ｈ）が少なくとも１種類のビルダーまたはキレート剤であり、ｉ）が少なくとも１種類の塩素系漂白剤もしくは非塩素系漂白剤であり、ｏ）が１種類以上の研磨剤であり、ｑ）が１種類以上の沈着防止剤であり、ｒ）が１種類以上の光沢剤である。このアルキルケタールエステルは、適切には以下の式Ｉに相当し、水混和性が高い種類、水混和性がやや低い種類、または両方の種類の混合物であってもよい。いくつかの実施形態において、この態様の洗浄組成物は、ビルダーまたはキレート剤を最高で３０％、漂白剤を最高で１０％、および研磨剤を最高で３０％含む。
【００３１】
別の態様において、本発明は、少なくとも１種類の界面活性剤、アルキルケタールエステル、固相（担体、研磨剤、もしくは固形漂白剤のうちの少なくとも１つを含む）、およびわずか５重量％の水を含む洗濯用粉末洗剤、粉末もしくは粒状の食器洗浄製品、または粉末漂白洗浄剤である。この界面活性剤、アルキルケタールエステルおよび水は、存在する場合、固相上に担持されている。このアルキルケタールエステルは、適切には以下の構造Ｉに相当し、水混和性が高い種類、水混和性がやや低い種類、または両方の種類の混合物であってもよい。
【００３２】
さらなる態様において、本発明は少なくとも２０重量％の水、以下の構造Ｉを有するアルキルケタールエステル、およびｓ）〜ｗ）から選択される１種類以上の構成成分を含むパーソナルケア洗浄製品であり、ここで、ｓ）〜ｗ）は：
ｓ）パラフィン油、ナフテン油または芳香族鉱油；
ｔ）（融点が４５℃未満であり、分子量が少なくとも１９０であり、少なくとも１個のアミド基またはエステル基、および（少なくとも８個の炭素原子を含む）少なくとも１つのアルキル鎖を含み、かつ水９９％に対して１％程度の水溶性を有する）非イオン性有機化合物類；
ｕ）融点が４５℃未満であり、かつ水９９％に対して１％程度の水溶性を有する非イオン性有機シリコーン化合物類；
ｖ）長鎖アルコール類；
ｗ）ワックス類
である。
【００３３】
別の態様において、本発明は、塩基水溶液、汚れを除去する実質的有効量の界面活性剤、硬さを取り除く有効量の隔離剤、およびアルキルケタールエステルが実質的部分を占める洗浄組成物である。このアルキルケタールエステルは、適切には以下の構造Ｉに相当し、水混和性が高い種類、水混和性がやや低い種類、または両方の種類の混合物であってもよい。
【００３４】
別の態様において、本発明は、アルカリ源、アルカリに安定な界面活性剤、アルカリに安定な隔離剤およびアルキルケタールエステルを含む食器洗浄機用粉末組成物である。このアルキルケタールエステルは、適切には以下の構造Ｉに相当し、水混和性が高い種類、水混和性がやや低い種類、または両方の種類の混合物であってもよい。
【００３５】
別の態様において、本発明は、水媒体、界面活性剤、硬質隔離剤（ｈａｒｄｎｅｓｓ ｓｅｑｕｅｓｔｒａｔｅ ａｇｅｎｔ）、アルカリ源、アルキルケタールエステルおよび染料または香料が大部分を占める手洗い用水性食器洗浄剤である。このアルキルケタールエステルは、適切には以下の構造Ｉに相当し、水混和性が高い種類、水混和性がやや低い種類、または両方の種類の混合物であってもよい。
【００３６】
別の態様において、本発明は、アルカリ源、アルキルケタールエステルおよびアルカリに安定な水性増粘剤を含む食器洗浄機用水性ゲル製剤である。このアルキルケタールエステルは、適切には以下の構造Ｉに相当し、水混和性が高い種類、水混和性がやや低い種類、または両方の種類の混合物であってもよい。
【００３７】
別の態様において、本発明は、塩基水溶液、陰イオン性および／または非イオン性界面活性剤ならびにアルキルケタールエステルを含む硬表面用水性洗浄剤である。このアルキルケタールエステルは、適切には以下の構造Ｉに相当し、水混和性が高い種類、水混和性がやや低い種類、または両方の種類の混合物であってもよい。
【００３８】
別の態様において、本発明は、塩基水溶液および有機界面活性剤、有機隔離剤、抗菌剤ならびにアルキルケタールエステルを含む硬表面用水性殺菌洗浄剤である。このアルキルケタールエステルは、適切には以下の構造Ｉに相当し、水混和性が高い種類、水混和性がやや低い種類、または両方の種類の混合物であってもよい。
【００３９】
別の態様において、本発明は、水、パイン油、界面活性剤、殺菌剤およびアルキルケタールエステルが大部分を占めるパイン油含有水性洗浄剤である。このアルキルケタールエステルは、適切には以下の構造Ｉに相当し、水混和性が高い種類、水混和性がやや低い種類、または両方の種類の混合物であってもよい。
【００４０】
別の態様において、本発明は、研磨剤無機物質、界面活性剤、アルキルケタールエステルおよび塩素系漂白剤または酸素系漂白剤が大部分を占める粉末洗浄剤である。このアルキルケタールエステルは、適切には以下の構造Ｉに相当する。
【００４１】
別の態様において、本発明は、水、低級アルカノールおよびアルキルケタールエステルが大部分を占めるガラス用水性洗浄剤組成物である。このアルキルケタールエステルは、適切には以下の構造Ｉに相当し、水混和性が高い種類、水混和性がやや低い種類、または両方の種類の混合物であってもよい。
【００４２】
別の態様において、本発明は、塩基水溶液、アルカリ性のグリコールエーテル溶媒を含む溶媒混合物、アルキルケタールエステル、水酸化ナトリウム源、およびアルカリに安定な界面活性剤が大部分を占めるスプレー構造オーブン洗浄剤である。このアルキルケタールエステルは、適切には以下の構造Ｉに相当し、水混和性が高い種類、水混和性がやや低い種類、または両方の種類の混合物であってもよい。
【００４３】
別の態様において、本発明は汚れの基質を洗浄する方法であって、本発明の前述の態様のいずれかの組成物を汚れ基質と接触させることと、その後、除去された汚れと共に洗浄剤の組成物を除去することとを含む方法である。
【００４４】
さらに別の態様において、本発明は、水における非イオン性界面活性剤溶液の濁り点を増加させる方法であって、この溶液に、以下の構造Ｉの水混和性が高いアルキルケタールエステルを加えることを含む方法である。
【００４５】
このアルキルケタールエステルは、式Ｉ：
【００４６】
【化１】
0005613763.tif 000002
（式中、ａは０または１〜１２の整数であり；
ｂは０または１であり；
Ｒ１は水素、１個以上のヘテロ原子で置換されていてもよい、１〜１８個の炭素原子を有する飽和または不飽和炭化水素基であり；
Ｒ２、Ｒ３、およびＲ４は、独立して、メチレン、アルキルメチレン（このアルキル基は１個以上のヘテロ原子で置換されていてもよい）、またはジアルキルメチレン（これらのアルキル基のいずれかまたは両方は１個以上のヘテロ原子で置換されていてもよい）であり、
Ｒ５は低級アルキルである）
を有する。
【００４７】
ｂが０である時は、このアルキルケタールエステルは５員環を含み、ｂが１である時は、これは６員環を含む。
【００４８】
Ｒ１は水素、または直鎖、分枝鎖および／もしくは環状炭化水素基であってもよい。この炭化水素基は飽和または不飽和であってもよい。不飽和である場合、この炭化水素基はアルケニル基もしくはアルキニル基、もしくは両方を含み得るか、または１個以上の芳香環を含むか、もしくは１個以上の芳香環からなり得る。Ｒ１は１個以上のヘテロ原子で置換されていてもよい。いくつかの実施形態において、Ｒ１は、好ましくは、水素または低級（Ｃ１〜４）アルキルであり、より好ましくは、水素またはメチルである。
【００４９】
Ｒ２（存在する場合）およびＲ４は、独立して、好ましくは、メチレン、エチリデン（＞ＣＨ−ＣＨ３）、または２−ヒドロキシエチリデン（＞ＣＨ−ＣＨ２ＯＨ）である。Ｒ３は、好ましくは、メチレン、エチリデン、プロピリデン（＞ＣＨ−ＣＨ２−ＣＨ３）、＞ＣＨ−ＣＨ２ＯＨ、＞Ｃ（ＣＨ３）ＣＨ２ＯＨ、＞Ｃ（Ｃ２Ｈ５）ＣＨ２ＯＨ、＞Ｃ（ＣＨ２ＯＨ）２、＞ＣＨ−ＣＨ（ＯＨ）−ＣＨ２ＯＨまたは＞ＣＨ−（ＣＨＯＨ）３−ＣＨ２ＯＨである。いくつかの実施形態において、ｂは０であり、Ｒ４はメチレンであり、Ｒ３はメチレン、２−ヒドロキシエチリデンメチレン、＞Ｃ（ＣＨ３）ＣＨ２ＯＨまたは＞Ｃ（Ｃ２Ｈ５）ＣＨ２ＯＨのうちの１つである。
【００５０】
Ｒ５は、好ましくは、最高で４個の炭素原子を含み、より好ましくは、１または２個の炭素原子を含む。
【００５１】
好ましいアルキルケタールエステルには、１，２−エチレングリコールとレブリン酸のメチルエステル、エチルエステル、ｎ−プロピルエステルまたはｎ−ブチルエステルとの反応生成物；１，２−プロピレングリコールとレブリン酸のメチルエステル、エチルエステル、ｎ−プロピルエステルまたはｎ−ブチルエステルとの反応生成物；１，３−プロパンジオールとレブリン酸のメチルエステル、エチルエステル、ｎ−プロピルエステルまたはｎ−ブチルエステルとの反応生成物；グリセリンとレブリン酸のメチルエステル、エチルエステル、ｎ−プロピルエステルまたはｎ−ブチルエステルとの反応生成物；トリメチロールエタンとレブリン酸のメチルエステル、エチルエステル、ｎ−プロピルエステルまたはｎ−ブチルエステルとの反応生成物；トリメチロールプロパンとレブリン酸のメチルエステル、エチルエステル、ｎ−プロピルエステルまたはｎ−ブチルエステルとの反応生成物；ペンタエリスリトールとレブリン酸のメチルエステル、エチルエステル、ｎ−プロピルエステルまたはｎ−ブチルエステルとの反応生成物；エリスリトールとレブリン酸のメチルエステル、エチルエステル、ｎ−プロピルエステルまたはｎ−ブチルエステルとの反応生成物；ソルビトールとレブリン酸のメチルエステル、エチルエステル、ｎ−プロピルエステルまたはｎ−ブチルエステルとの反応生成物；１，２−エチレングリコールとメチルアセトアセテート、エチルアセトアセテート、ｎ−プロピルアセトアセテートまたはｎ−ブチルアセトアセテートとの反応生成物；１，２−プロピレングリコールとメチルアセトアセテート、エチルアセトアセテート、ｎ−プロピルアセトアセテートまたはｎ−ブチルアセトアセテートとの反応生成物；１，３−プロパンジオールとメチルアセトアセテート、エチルアセトアセテート、ｎ−プロピルアセトアセテートまたはｎ−ブチルアセトアセテートとの反応生成物；グリセリンとメチルアセトアセテート、エチルアセトアセテート、ｎ−プロピルアセトアセテートまたはｎ−ブチルアセトアセテートとの反応生成物；トリメチロールエタンとメチルアセトアセテート、エチルアセトアセテート、ｎ−プロピルアセトアセテートまたはｎ−ブチルアセトアセテートとの反応生成物；トリメチロールプロパンとメチルアセトアセテート、エチルアセトアセテート、ｎ−プロピルアセトアセテートまたはｎ−ブチルアセトアセテートとの反応生成物；エリスリトールとメチルアセトアセテート、エチルアセトアセテート、ｎ−プロピルアセトアセテートまたはｎ−ブチルアセトアセテートとの反応生成物；ペンタエリスリトールとメチルアセトアセテート、エチルアセトアセテート、ｎ−プロピルアセトアセテートまたはｎ−ブチルアセトアセテートとの反応生成物；ソルビトールとメチルアセトアセテート、エチルアセトアセテート、ｎ−プロピルアセトアセテートまたはｎ−ブチルアセトアセテートとの反応生成物に相当するアルキルケタールエステルが含まれる。
【００５２】
特定のアルキルケタールエステルには、次構造ＩＩ〜ＶＩを有するアルキルケタールエステルが含まれる：
【００５３】
【化２】
0005613763.tif 000003
（式中、Ｒ５は、メチル、エチル、ｎ−プロピルまたはｎ−ブチルである。Ｒ５がメチルである時、この構造は、本明細書で「メチル−ＬＧＫ」または「Ｍｅ−ＬＧＫ」と称され、レブリン酸メチルとグリセリンとの反応生成物に相当する。メチル−ＬＧＫは、全比率において水と混和性がある。Ｒ５がエチルである時、この構造は、本明細書で「エチル−ＬＧＫ」または「Ｅｔ−ＬＧＫ」と称され、レブリン酸エチルとグリセリンとの反応生成物に相当する。エチル−ＬＧＫは、全比率において水と混和性がある。エチル−ＬＧＫも、エチル−ＬＧＫ８０％に対して有機化合物が少なくとも２０％の程度まで、多数の疎水性および親水性の有機化合物に溶解するかまたはそれらと混和性がある。このような化合物の例として、メタノール、エタノール、テトラヒドロフラン、アセトン、酢酸エチル、ラウリン酸エチル、ラウリン酸、塩化エチレン、トルエン、酢酸、低分子量ポリ（プロピレングリコール）およびヒマシ油が挙げられる。Ｒ５がｎ−プロピルである時、この構造は、本明細書で「ｎ−プロピル−ＬＧＫ」と称され、レブリン酸ｎ−プロピルとグリセリンとの反応生成物に相当する。ｎ−プロピル−ＬＧＫは、水９９％あたり約１％の程度まで水と混和性がある。Ｒ５がｎ−ブチルである時、この構造は、本明細書で「ｎ−ブチル−ＬＧＫ」と称され、レブリン酸ｎ−ブチルとグリセリンとの反応生成物に相当する。ｎ−ブチル−ＬＧＫは、水９９％あたり約１％の程度まで水と混和性がある。これは、ｎ−ブチル−ＬＧＫ８０％に対して有機化合物が少なくとも２０％の程度まで、様々な有機化合物に溶解するか、またはそれらと混和性がある。このような有機化合物の例として、（エタノールおよび１，２−ブチレングリコールを含む）アルコール、（Ｃ１２〜１４安息香酸アルキル、ミリスチン酸イソプロピルおよびパルミチン酸オクチルなどの）有機エステル、および（ヒマシ油、トウモロコシ油、大豆油およびヒマワリ油を含む）多くの植物油が挙げられる。）
【００５４】
【化３】
0005613763.tif 000004
（式中、Ｒ１は、メチル、エチル、ｎ−プロピルまたはｎ−ブチルである。Ｒ５がメチルである時、この構造は、本明細書で「メチル−ＬＰＫ」または「Ｍｅ−ＬＰＫ」と称され、レブリン酸メチルと１，２−プロピレングリコールとの反応生成物に相当する。Ｒ５がエチルである時、この構造は、本明細書で「エチル−ＬＰＫ」または「Ｅｔ−ＬＰＫ」と称され、レブリン酸エチルと１，２−プロピレングリコールとの反応生成物に相当する。エチル−ＬＰＫは、水９７．５％に対して約２．５％の程度まで水と混和性がある。エチル−ＬＰＫも、エチル−ＬＰＫ８０％に対して有機化合物が少なくとも２０％の程度まで、親水性を変える様々な有機化合物に溶解するかまたはそれらと混和性がある。これらの化合物には、例えば、メタノール、エタノール、テトラヒドロフラン、アセトン、酢酸エチル、塩化メチレン、トルエン、シクロヘキサン、酢酸、低分子量ポリ（プロピレングリコール）、鉱油、ヒマシ油、菜種油、トウモロコシ油およびヒマワリ油が含まれる。
【００５５】
【化４】
0005613763.tif 000005
（式中、Ｒ５は、メチル、エチル、ｎ−プロピルまたはｎ−ブチルである。Ｒ５がエチルである時、この構造は、本明細書で「エチル−ＬＥＫ」または「Ｅｔ−ＬＥＫ」と称され、レブリン酸エチルと１，２−エチレングリコールとの反応生成物に相当する。エチル−ＬＥＫは、水９５％あたり約５％の程度まで水と混和性がある。）
【００５６】
【化５】
0005613763.tif 000006
（式中、Ｒ５は、メチル、エチル、ｎ−プロピルまたはｎ−ブチルである。Ｒ５がメチルである時、この構造は、本明細書で「メチル−ＡｃＡｃＧＫ」または「Ｍｅ−ＡｃＡｃＧＫ」と称され、メチルアセトアセテートとグリセリンとの反応生成物を表す。Ｒ５がエチルである時、この構造は、本明細書で「エチル−ＡｃＡｃＧＫ」または「Ｅｔ−ＡｃＡｃＧＫ」と称され、エチルアセトアセテートとグリセリンとの反応生成物を表す。メチル−ＡｃＡｃＧＫとエチル−ＡｃＡｃＧＫの各々は、全比率において水と混和性がある。）
【００５７】
【化６】
0005613763.tif 000007
（式中、Ｒ５はメチル、エチル、ｎ−プロピルまたはｎ−ブチルであり、Ｒ６はメチルまたはエチルである。構造ＶＩによる化合物は、トリメチロールエタン（Ｒ６＝メチル）またはトリメチロールプロパン（Ｒ６＝エチル）とレブリン酸のＣ１〜４エステルの反応生成物に相当する。）
【００５８】
本発明のアルキルケタールエステルを、オキソカルボキシレートのアルキルエステルと脂肪族ポリオール化合物との反応によって調製することができ、この脂肪族ポリオール化合物は、（１，２−ジオールと同様に）隣接した脂肪族炭素原子上にまたは（１，３−ジオールと同様に）１個の炭素原子によって互いに切り離される脂肪族炭素上にヒドロキシル基を有する。出発ポリオール化合物が、ケトエステルまたはセミアルデヒドエステルと反応する（隣接した炭素原子上に）ヒドロキシル基を有する場合、構造Ｉのｂは０である。ケトエステルまたはセミアルデヒドエステルが、別の炭素原子によって分けられる炭素原子上のヒドロキシル基と反応する場合、構造Ｉのｂは１である。酸触媒の存在下、この反応を行ってもよい。好ましいプロセスは国際公開特許第０９／０３２９０５号に記載されている。
【００５９】
アルキルケタールエステルを作製するのに有用で適切なオキソカルボキシレートには、ケトエステルおよびセミアルデヒドエステルの両方が含まれる。「ケトエステル」は、少なくとも１個のケトン部分および１個のカルボン酸エステル部分を有する化合物を表す。化合物は、２個以上のケトン基または２個以上のカルボン酸エステル基を有してもよい。「セミアルデヒドエステル」は、少なくとも１個のアルデヒド基および１個のカルボン酸エステル基を有する化合物を表す。化合物は２個以上のアルデヒド基または２個以上のカルボン酸エステル基を有してもよい。各々の場合において、エステル基は、構造ＩのＲ５基に相当する低級アルキル基である。
【００６０】
ケトエステルまたはセミアルデヒドエステルは、ケトン基またはアルデヒド基およびカルボン酸エステル基に加えて、存在する追加の部分または官能基については特に限定されない。いくつかの実施形態において、この化合物には、１個以上のハロゲン基、カーボネート基、カルボン酸基、カルボン酸エステル基、スルホン基、イミド基、アミド基、アミン基、メルカプト基、保護されたチオール基、保護されたヒドロキシル基、エーテル基、ジスルフィド基、リン酸基、ホスホノオキシ基、シロキサン基、シリル基、またはシラン基が含まれていてもよい。さらに、ケト酸エステルまたはセミアルデヒド酸エステルには、例えば、１個以上のトリメチルシリル基もしくはｔ−ブチル基、または当業者にとって既知である１個以上の他の保護基によって保護されているという条件で、ヒドロキシル基またはメルカプト基が含まれてもよい。
【００６１】
適切なケトエステルのいくつかの例として、ピルビン酸、アセト酢酸、レブリン酸、５−アミノレブリン酸、オキサロ酢酸、α−ケト酪酸、α−ケトグルタル酸、α−ケトイソ吉草酸、５−ケトヘキサン酸、α−ケトイソカプロン酸、α−ケトアジピン酸、３−ケトアジピン酸、２−ケト−４−メチルチオ酪酸、４−アセチル酪酸、２−ケト−３−ブロモ酪酸、フェニルピルビン酸、２−ケト−３−フェニルプロパン酸、２−ケトペンタン酸、３−ケトヘキサン酸、４−ケトヘキサン酸、２−ケトオクタン酸、３−ケトオクタン酸、４−ケトオクタン酸、７−ケトオクタン酸、２−ケト−４−ペンタン酸、１３−ケト−９，１１−オクタデカジエン酸、４−ケトステアリン酸、９−ケトパルミチン酸、４−ケトヘプタン二酸、ペニシリン酸、８−ケト−８−アミノペラルゴン酸、２−ケト−５−アミノ吉草酸、２−スクシニルアミノ−６−オキソヘプタン二酸、２−オキソ−３−ブチノエート、３−ケト−６−アセトアミドヘキサノエートなどのＣ１〜Ｃ４アルキルエステルが挙げられる。
【００６２】
好ましい実施形態において、このケトエステルは、レブリン酸のＣ１〜Ｃ４アルキルエステル（４−オキソペンタン酸）である。レブリン酸は、五炭糖、六炭糖、ならびにセルロース、ヘミセルロース、デンプン、ショ糖などの五炭糖および六炭糖を含む多糖から工業規模で調製される豊富な原料である。他の好ましいケトエルテルには、ピルビン酸およびアセト酢酸のＣ１〜Ｃ４アルキルエステルが含まれる。特に好ましいケトエステルには、レブリン酸エチル、レブリン酸ｎ−プロピルおよびレブリン酸ｎ−ブチルが含まれる。
【００６３】
適切なセミアルデヒドエステルのいくつかの例として、アスパラギン酸セミアルデヒド、４−オキソブタン酸、５−オキソペンタン酸、６−オキソヘキサン酸、７−オキソヘプタン酸、α−ホルミルグリシン、３−オキソ−２−（ホスホノオキシ）−プロパン酸（ヒドロキシル基がリン酸塩によって保護されているタルトロン酸セミアルデヒド）３−オキソプロパン酸（マロン酸セミアルデヒド）、２−メチル−３−オキソプロパン酸（メチルマロン酸セミアルデヒド）、コハク酸セミアルデヒド、アジピン酸セミアルデヒド、５−グルタミルセミアルデヒド、アリシン、２−アミノムコン酸セミアルデヒド、４−アミノ−５−オキソペンタン酸、Ｎ−アセチルグルタミン酸セミアルデヒド、２−アミノ−３−（３−オキソプロパ−１−エニル）−ブタ−２−エン二酸、およびＮ−２−スクシニル−Ｌ−グルタミン酸−５−セミアルデヒドのＣ１〜Ｃ４アルキルエステルが挙げられる。他のセミアルデヒドエステルには、Ｃｒｉｅｇｅｅ,Ａｎｇｅｗ.Ｃｈｅｍ.Ｉｎｔ.Ｅｄ.,１９７５,８７,７４５に記載されているように、不飽和脂肪酸エステルのオゾン分解を行い、不飽和部位にアルデヒド部分を形成することによって形成されるセミアルデヒド化合物のＣ１〜Ｃ４アルキルエステルが含まれる。
【００６４】
アルキルケタールエステルを形成するために使用されるポリオールは、ヒドロキシル基に加えて１個以上のヘテロ原子を含んでもよい。存在する場合、これらのヘテロ原子は、構造ＩのＲ２、Ｒ３および／またはＲ４部分上に置換基を形成する。これらの１個以上のヘテロ原子は、１個以上の追加の官能基の形態で存在してもよく、これには、例えば、ハロゲン、スルホン、イミド、アミド、メルカプト、エーテル、ジスルフィド、リン酸塩、ホスホノオキシ、シロキサン、シリル、またはシランが含まれ得る。ジオールは、追加のヒドロキシル基またはチオール基を含んでもよい。適切なアルカンジオールには、１，２−エタンジオール（エチレングリコール）、１，２−プロパンジオール（プロピレングリコール）、１，３−プロパンジオール、２，２−ジメチル−１，３−プロパンジオール（ネオペンチルグリコール）、３−メルカプトプロパン−１，２−ジオール（チオグリセロール）、ジチオスレイトール、１，２−ブタンジオール、１，３−ブタンジオール、シクロヘキサン−１，２−ジオール、１，４−ジオキサン−２，３−ジオール、３−ブテン−１，２−ジオール、インダン−１，２−ジオール、酒石酸、および２，３−ジヒドロキシイソ吉草酸が含まれる。いくつかの実施形態において、アルカンジオールは、１−オクテン、１−ヘキセン、１−デセンなどのｎ−α−オレフィンのエポキシ化、続いて、開環によりジオールを形成することによって合成される。好ましいポリオールには、１，２−プロパンジオール、１，３−プロパンジオールおよび１，２−エタンジオール、グリセリン、トリメチロールエタン、トリメチロールプロパン、エリスリトール、ペンタエリスリトールおよびソルビトールが含まれる。
【００６５】
本発明の特定の態様には、水および少なくとも１種類のアルキルケタールエステルを含む共溶媒混合物が含まれる。この共溶媒混合物は、他の物質がない場合、透明で、均一な溶液である。この共溶媒混合物中の少なくとも１種類のアルキルケタールエステルは、この溶液中に存在する水およびアルキルケタールエステルの相対的比率で、それ自体水と混和性があるべきである。先に定義した通り、この共溶媒混合物は、少なくとも１種類の水混和性が高いアルキルケタールエステルを含むことが好ましい。この共溶媒混合物は２種類以上のアルキルケタールエステルを含んでもよく、この場合には、それらのうちの少なくとも１種類は、存在する水およびアルキルケタールエステルの相対的比率で、それ自体水と混和性があるべきである。いくつかの実施形態において、水混和性が高いアルキルケタールエステルおよび水混和性がやや低いアルキルケタールエステルの両方は、この共溶媒混合物中に存在する。
【００６６】
いくつかの実施形態において、この共溶媒混合物は、存在する可能性のある水、アルキルケタールエステル（複数可）、および任意の追加の水混和性が高い溶媒（複数可）の総合重量に基づいて、少なくとも５重量％の水を含む。他の実施形態において、この共溶媒混合物は、同じ基準で、少なくとも１０重量％の水、少なくとも２５重量％の水、または少なくとも５０重量％の水を含んでもよい。いくつかの実施形態において、再び同じ基準で、９９重量％程度の水、または７５重量％程度の水を含んでもよい。
【００６７】
追加の水混和性が高い溶媒（複数可）が、このような共溶媒混合物中に存在してもよい。これらの水混和性が高い溶媒（複数可）は２５０以下、好ましくは１５０以下、より好ましくは１２０以下の分子量を有するべきである。１２０以下の分子量を有する水混和性が高い溶媒は、本発明の目的では、「揮発性の有機化合物」であると考えられる。このような混和性の高い溶媒の追加例として、例えば、メタノール、エタノール、ｎ−プロパノールおよびイソプロパノールなどの低級アルコール；エチレングリコール、ジエチレングリコール、トリエチレングリコール、１，２−プロピレングリコール、１，３−プロパンジオール、エチレングリコールモノブチルエーテル、ジエチレングリコールモノメチルエーテル、ジエチレングリコールモノブチルエーテル、ジエチレングリコールモノエチルエーテル、プロピレングリコールモノメチルエーテル、ジプロピレングリコールモノメチルエーテル、プロピレングリコールモノプロピルエーテルなどのグリコールおよびグリコールエーテル；ホルムアルデヒド、アセトアルデヒド、アセトンおよびメチルエチルケトンなどのアルデヒドならびにケトン；乳酸エチルなどのエステル、特定の塩素系溶媒、ならびにそれ自体水混和性が高いジメチルイソソルビドのような他の有機化合物が挙げられる。
【００６８】
本発明の一態様による共溶媒混合物は、水に対する混和性がやや低い広範な有機物質を含む広範な物質にとって優れた溶媒である。溶解性が低い多くの有機物質の溶液を、揮発性有機化学物質、特に、１００未満の分子量を有する有機化学物質をほとんどまたは全く含まない水性ベースの溶媒系に作ることができるということが本発明のこの態様の利点である。共溶媒系中の溶質濃度は、水のみの中で得ることができる濃度よりも非常に高い場合が多い。
【００６９】
広範な物質が、本発明のこの態様において溶質を形成することができる。いくつかの実施形態における溶質は有機化合物であるか、または有機化合物を含む。この共溶媒混合物が、水のみよりもこのような有機化合物にとってより優れた溶媒である場合が多いので、溶質として特に興味深い有機化合物は、水との混和性が全くないかまたは非常に限られている化合物である。多くの場合、この溶質は、水９５％あたりわずか５％、水９８％あたりわずか２％、または水９９％あたりわずか１％の溶解性を有する。いくつかの実施形態において、この溶質は、２種類以上の有機化合物を含んでもよい。
【００７０】
この溶質は、この共溶媒混合物に存在する少なくとも１種類のアルキルケタールエステルにある程度溶解しなければならない。この共溶媒混合物に、少なくとも１種類のアルキルケタールエステル９０重量％あたり少なくとも１０％の程度までそれ自体溶解することが好ましい。この溶質は、この溶媒混合物に、少なくとも１種類のアルキルケタールエステル８０重量％あたり少なくとも２０％の程度まで溶解することがさらに好ましい。このアルキルケタールエステル５０重量％あたり少なくとも５０％の程度まで、もしくはこのアルキルケタールエステル２０重量％あたり８０％の程度までこのアルキルケタールエステルと混和性があるか、または全比率でこのアルキルケタールエステルと混和性があってもよい。
【００７１】
１つの分類の溶質は溶解性が低いアルキルケタールエステル（複数可）であり、特に、水９５％あたりわずか５％の程度まで水と混和性がある溶解性が低いアルキルケタールエステルである。したがって、いくつかの実施形態において、本発明の溶液は、水、水混和性が高いアルキルケタールエステル、および水溶性がやや低いアルキルケタールエステルを含む溶液である。これらの実施形態において、この水溶性がやや低いアルキルケタールエステルは、水のみにおける溶解限度よりも高い濃度で存在してもよい。この混和性がやや低いアルキルケタールエステルは、例えば、脱脂などの特定の洗浄機能をもたらす洗浄剤のような組成物の機能的構成成分であってもよい。この混和性がやや低いアルキルケタールエステルは、水または第１の水混和性があるアルキルケタールエステルのいずれかに溶解しないか、または容易に分散しないさらに別の構成成分を可溶化または乳化させることにも役立ち得る。
【００７２】
別の分類の溶質は界面活性剤であり、非イオン性、陽イオン性、陰イオン性または両性イオン性の種類の界面活性剤であり得る。本明細書に有用な界面活性剤には、既知の陰イオン性合成界面活性剤、非イオン性合成界面活性剤、両性合成界面活性剤および双性イオン性合成界面活性剤が含まれる。詳細にまとめられた適切な界面活性剤は、ＭｃＣｕｔｃｈｅｏｎ’ｓ ＥＭＵＬＳＩＦＩＥＲＳ
ＡＮＤ ＤＥＴＥＲＧＥＮＴＳ,Ｎｏｒｔｈ Ａｍｅｒｉｃａｎ Ｅｄｉｔｉｏｎ,１９８４,ＭｃＣｕｔｃｈｅｏｎ Ｄｉｖｉｓｉｏｎ,ＭＣ Ｐｕｂｌｉｓｈｉｎｇ Ｃｏｍｐａｎｙの中で見つけることができ、これは、参照により本明細書に組込まれる。これらの典型例として、アルキルベンゼンスルホン酸塩、アルキルスルホン酸塩およびアルキルエーテルスルホン酸塩、パラフィンスルホン酸塩、オレフィンスルホン酸塩、アルコキシル化（特に、エトキシル化）アルコール類およびアルキルフェノール類、アルキルポリグルコシド類、イセチオン酸類、（様々なコカミド界面活性剤、ラウリン酸アミド界面活性剤などの）長鎖脂肪酸のアミド類；様々な酒石酸類、アミンオキシド類、脂肪酸および脂肪酸エステルのα−スルホン酸塩、アルキルベタイン類、フッ化炭化水素の界面活性剤（特に、陰イオン性界面活性剤）、スルホコハク酸塩などが挙げられ、これらは界面活性の技術分野で周知である。一般に、このような洗浄用界面活性剤は、Ｃ９〜１８のアルキル基を含む。陰イオン性洗浄用界面活性剤を、それらのナトリウム塩、カリウム塩またはトリエタノールアンモニウム塩の形態で使用することができる。これらの非イオン性洗浄用界面活性剤は、一般に、約５〜約１７のエチレンオキシド基を含む。Ｃ１１〜１６のアルキルベンゼンスルホン酸塩、Ｃ１２〜１８のパラフィンスルホン酸塩およびアルキルスルホン酸塩、アルキルポリグルコシド、ならびにエトキシル化アルコールおよびアルキルフェノールが、本発明の種類の組成物に特に好ましい。界面活性剤が溶質として存在する場合、その濃度は、特定の共溶媒混合物の中にある界面活性剤の臨界ミセル濃度を下回る。界面活性剤が溶質である時、水のみに溶解させることができる濃度よりも高い濃度の界面活性剤を、この共溶媒混合物に溶解することができる場合が多いということが本発明の利点である。
【００７３】
溶質として役立ち得る他の種類の水溶性が低い有機化合物には、最高で約３０個の炭素原子を有する直鎖状の、分枝鎖状の、または環状の脂肪族炭化水素；２〜２０個の炭素原子を有し、かつ沸点が少なくとも１００℃であり得るα−オレフィン類；シクロペンタン、シクロヘキサン、シクロブタン、シクロペンタジエンなどの脂環式炭化水素類；ベンゼン、ナフタレンなどの芳香族化合物類；アルキル基（複数可）の各々が、１〜１２個の炭素原子、好ましくは６〜９個の炭素原子を含むモノアルキルベンゼンまたはポリアルキルベンゼン；塩化メチレン、クロロホルム、１，２−ジクロロエタン、１，１−ジクロロエタンなどの塩化アルカン類；塩化エチルなど；クロロブロモメタン、臭化メチレンおよびブロモホルムなどの臭素化アルカン類；ならびに酢酸アミルなどのエステル類が含まれるが、これらに限定されない。
【００７４】
溶質として役立ち得る他の水溶性が低い有機化合物には、（植物油類、動物性脂肪類、鉱油、シリコーン油類、および脂肪酸メチルエステルのような天然油誘導体類などを含むが、これらに限定されない）様々なテルペン類ならびに様々な天然油類および合成油類が含まれる。
【００７５】
水溶性が低い様々なグリコールエーテル類およびグリコールエーテルアセテート類は溶質としても有用であり、ジプロピレングリコールモノブチルエーテル、ジプロピレングリコールモノヘキシルエーテル、プロピレングリコールモノブチルエーテル、ジエチレングリコールモノヘキシルエーテル、エチレングリコールｎ−ブチルエーテルアセテートなどを含むが、これらに限定されない。
【００７６】
この溶質には、１種類以上のエステル類、ケトン類、またはアミド類、１種類以上の香料もしくは染料；α−グルコースピラノース化合物などの物質；またはプロテアーゼおよびアミラーゼなどの酵素類も含まれ得る。
【００７７】
本発明の溶液において、共溶媒混合物および溶質の組み合わせが透明な溶液を形成するように、溶質は、共溶媒混合物の溶解限度以下の量で存在する。いくつかの実施形態において、この溶質の濃度は、それ自体が水に溶解できる濃度よりも高い。本発明の溶液に溶解されない他の成分は、濁っているかまたはエマルションを形成する溶液を含む製剤をもたらし得る。
【００７８】
本発明の他の態様において、水および水混和性のあるアルキルケタールエステルを含む共溶媒混合物は、エマルション中に連続相または共連続相を形成する。このようなエマルションの物理的形態は、エマルションに存在する特定の構成成分およびそれらの相対的比率に応じて、わずかに濁った粘性の低い液体から非常に不透明なペースト状の半固体物質に及び得る。分散相または第２の共連続相は、存在する比率で連続相または他の共連続相を形成する共溶媒混合物と混ざらない。これらのエマルションにおいて、このアルキルケタールエステルは、これらの相の間に、ある程度の相溶化をもたらす場合が多く、これは、層分離を阻害することにより、より高度に安定なエマルションを形成することができる。よりすぐれたエマルション安定性は、アルキルケタールエステルが存在しない時に比べて、広範な温度にわたり、層分離に対するより大きな抵抗性によって、および／または層分離に抵抗する分散相もしくは共連続相の能力によって明らかにされ得る。場合によっては、このアルキルケタールエステルは、連続相および分散相の間に、または共連続相の間に分配する。
【００７９】
この分散相または第２の共連続相は、１種類以上の有機物質もしくは混合物または（連続相もしくは第１の共連続相を形成する共溶媒混合物と混ざらない）有機物質であるか、または共溶媒混合物にある程度混和性がある（溶解性が低い）が、それにもかかわらず、この共溶媒混合物中にその混和性の限度を超える量で存在する有機物質もしくはその混合物であってもよい。
【００８０】
それゆえに、この共溶媒混合物と全く混和性のない、上述の潜在的な溶質物質のいずれかは、本発明のエマルションの分散相または共連続相の全部もしくは一部を形成することができる。
【００８１】
別の態様において、本発明は、構造Ｉの少なくとも１種類のアルキルケタールエステルおよび少なくとも１種類の界面活性剤を含む組成物である。上述の通り、本発明のこの態様の組成物は、様々な溶液およびエマルションを含むいくつかの形態のいずれかをとり得る。本発明のこの態様の組成物は、様々な製剤化洗浄組成物に使用される場合が多い。洗浄組成物において、これらの界面活性剤は、このような物質の使用と関連する通常の洗浄および乳化をする利点を提供することができる。本明細書に有用な界面活性剤には、本明細書記載の陰イオン性界面活性剤、非イオン性界面活性剤、両性界面活性剤および双性イオン性界面活性剤が含まれる。
【００８２】
この界面活性剤は、本発明のこの態様の組成物をわずか０．１％含むことができるが、一般的には、この組成物は、界面活性剤を１〜７５％、好ましくは１〜４０％、およびより好ましくは１〜２０％含む。いくつかの実施形態において、界面活性剤およびアルキルケタールエステルを含む組成物は濃縮製剤の形態をとってもよく、使用する際に、希釈するように作られている。このような濃縮製剤は、典型的には、水および／または揮発性有機化合物の組み合わせをわずか６０％含み、より典型的には、それをわずか４０％含む。このような濃縮製剤は、少なくとも１種類のアルキルケタールエステルを５〜７０重量％または１０〜５０重量％、および少なくとも１種類の界面活性剤を５〜７０重量％または１０〜５０重量％含む場合が多い。この生成物が水に希釈できるように作られる場合、このような濃縮製剤中のアルキルケタールエステルは、少なくとも１種類の水混和性が高いアルキルケタールエステル、または少なくとも１種類の水混和性が高いアルキルケタールエステルと水溶性が低いアルキルケタールエステルの混合物を含むことが好ましい。しかし、この濃縮生成物は、水溶性が低いアルキルケタールエステルのみを含んでもよい。
【００８３】
本発明の界面活性剤／アルキルケタールエステル組成物は、透明な液体、様々な種類のエマルション、および顆粒、錠剤または棒などの固体形態に製剤化されてもよい。これらの組成物は、拭き取り繊維、ブラシおよびスポンジなどの吸収材に組込まれてもよい。
【００８４】
本発明の洗浄組成物は、（界面活性剤およびアルキルケタールエステルに加えて）様々な追加の成分を含み、特別な洗浄用途のための特定の機能を果たす。このような成分のいくつかの例として、例えば、水、洗浄ビルダーおよび／またはキレート剤、塩素系漂白剤、非塩素液漂白剤、漂白活性化物質、漂白安定剤、汚れ懸濁剤、ハイドロトロープ、上記の水混和性が高い有機溶媒、水溶性が低い有機溶媒、油類および油誘導体類、研磨剤、抗菌剤、着色剤、無機塩類、増粘剤、酵素、噴霧剤、ｐＨ調整剤、ファブリック柔軟剤、金属過酸化物および皮膚軟化剤などの添加剤などが挙げられるが、これらに限定されない。
【００８５】
洗浄ビルダーは、一般に、洗濯用洗剤、硬表面用洗浄製品および食器洗浄液の中に存在し、本発明の洗浄組成物中に存在してもよい。このようなビルダーの例として、Ｎ−ジエチレングリコール−Ｎ，Ｎ−二酢酸（ＤＩＤＡ）ポリリン酸塩（例えば、ピロリン酸カリウム）、ニトリロ三酢酸塩（例えば、Ｎａ３ＮＴＡ）、エチレンジアミン四酢酸ナトリウム（ＥＤＴＡ）、エチレントリアミン五酢酸ナトリウム、クエン酸ナトリウム、炭酸ナトリウム、メタケイ酸ナトリウムおよびゼオライト（例えば、ゼオライト１ｇあたり２００ｍｇ以上の（ＣａＣＯ３として計算される）陽イオン交換容量を有するゼオライト）があげられる。プロテアーゼおよびアミラーゼなどの酵素は、洗浄組成物、特に、洗濯用洗剤製品および予洗製品にも高頻度に存在する。
【００８６】
本発明の洗浄組成物は、次亜塩素酸ナトリウム、過ホウ酸ナトリウム、ジペルオキシドデカン二酸、ジクロロイソシアヌル酸ナトリウム、ｍ−クロロペルオキシ安息香酸および過酸化物ベースの漂白剤などの漂白剤を含んでもよい。このアルキルケタールエステルは、漂白溶液中で安定であり、それゆえに、油性の汚れに対する優れた溶解性を、漂白剤を含む組成物に加えることができることが本発明の利点である。本発明の漂白剤を含む組成物は、テトラアセチルエチレンジアミンおよびノナノイルオキシベンゼンスルホン酸ナトリウムなどの１種類以上の漂白活性化剤も含んでもよい。
【００８７】
本発明の洗浄組成物は、カルボキシメチルセルロールナトリウムなどの１種類以上の汚れ懸濁剤；ジエチレントリアミンペンタメチレンホスホン酸塩およびジエチレントリアミノペンタ酢酸ナトリウムなどの１種類以上の漂白安定剤；トルエンスルホン酸ナトリウム、クメンスルホン酸ナトリウムおよびキシレンスルホン酸カリウムなどの１種類以上のハイドロトロープ；スメクタイト粘土および獣脂ジメチル塩化アンモニウムなどの１種類以上のファブリック軟化成分をさらに含んでもよい。
【００８８】
本発明の洗浄組成物は、前記の混和性の高い有機溶媒を含んでもよい。
【００８９】
本発明の洗浄組成物は、油性の汚れを除去するために洗浄剤に組込まれる場合が多い種類のいわゆる「脱脂」溶媒を含む、１種類以上の混和性がやや低い有機溶媒を含んでもよい。このアルキルケタールエステルは、洗浄製剤中のそれらの有機溶媒を置換するか、または必要であるその量を減らすことができる場合が多い。特定の実施形態において、このアルキルケタールエステルは、このような物質を水相に可溶化または分散させるのに役立つ場合が多いことが本発明の利点である。これは、相分離に対する安定性を維持しながら、多量のこのような溶媒を洗浄製剤に組込むことが可能になり得る。他の実施形態において、有機溶媒の所定の濃度で、かかる溶液またはエマルションにおいて、溶液またはエマルションのより優れた安定性を得ることができる。
【００９０】
これらの混和性が低い有機溶媒の例として、ベンジルアルコール、ｎ−ヘキサノール、２，２，４−トリメチル−１，３−ペンタンジオールなどの特定のアルコール、およびメントール、テルピネオール、ボルネオール、ゲラニオールなどのテルペノイドが挙げられる。さらなる例として、ジプロピレングリコールモノブチルエーテル、モノプロピレングリコールモノブチルエーテル、ジエチレングリコールモノヘキシルエーテル、モノエチレングリコールモノヘキシルエーテル、ブトキシプロパノール、ブトキシプロポキシプロパノール、ジエチレングリコールモノブチルエーテルおよびそれらの混合物などの水溶性が低い様々なグリコールエーテルが挙げられる。アルキルまたはシクロアルキル型で、かつ沸点が室温を優に上回る、すなわち、約２０℃超える炭化水素またはハロゲン化炭化水素は、一般に、本発明の洗浄組成物中に存在し得る脱脂溶媒として使用される。これらの中には、ジペンテン、ピネン、ｄ−リモネン、１−リモネン、リモネン酸化物、ミルセンなどのテルペンおよびテルペン酸化物がある。存在し得る水に対する混和性が低い追加の化合物には、Ｃ６〜９アルキル芳香族溶媒、特に、Ｃ６〜９アルキルベンゼン、好ましくは、オクチルベンゼンが含まれる。これらは、油脂を除去する優れた特性を示し、かつ低いレベルの心地よい香りを有する傾向がある。沸点が少なくとも約１００℃であるオレフィン類、特に、１−デセンまたは１−ドデセンなどのα−オレフィン類も油脂を除去する優れた溶媒であり、存在することができる。
【００９１】
天然および合成の両方の油類ならびにそれらの誘導体類は、本発明の洗浄組成物の中に存在してもよい。これらは、油性洗浄剤として、特定の種類の汚れのための溶媒として、レオロジー調整剤として、潤滑剤として機能してもよく、場合によっては、心地よい香りをこの組成物に与えてもよい。このような汚れには、鉱油、ならびに（天然および改良された野菜の油類の両方を含む）様々な種類の野菜および植物の油類が含まれるが、これらに限定されない。パイン油は、洗浄組成物に有用な植物油の有名な例である。いくつかの実施形態において、脂肪酸エステルなどの油誘導体類が洗浄組成物に用いられてもよい。
【００９２】
本発明の洗浄組成物は、シリカ、軽石、炭酸カルシウム、ポリ塩化ビニルおよびパーライトなどの、しかしこれらに限定されない１種類以上の研磨剤を含んでもよい。それは、（粘度調整剤、流量調整剤またはｐＨ緩衝剤として機能することができる）硫酸ナトリウム、塩化ナトリウムなどの他の溶解した無機塩類を含んでもよい。染料および香料などの美を高める成分、ならびに様々な賦形剤を含んでもよい。特にクリームで使用する際には、ナトリウムおよびカリウムの石鹸、特に、ココナッツ石鹸を含めることができる。
【００９３】
前述に加えて、本発明の組成物は、金属過酸化物および皮膚軟化剤などの他の添加剤を含んでもよい。
【００９４】
アルキルケタールエステルが存在すると、洗浄組成物にいくつかの利点をもたらすことができる。これらのアルキルケタールエステルは揮発性が低く、非腐食性薬品である。さらに、本発明による洗浄組成物は、様々な汚れおよび／またはシミに対して効果的であり、かつ様々な基質に使用するために製剤化することができる。これらのアルキルケタールエステルは、可溶化および相溶化させるのに役立つ機能を果たす場合が多く、相分離に優れた抵抗を有する洗浄組成物をもたらす。このアルキルケタールエステルは、製剤に必要である界面活性剤および他の溶媒などの他の成分の量を減らすこともできる。場合によっては、これらの他の成分のうちの１種類以上を完全に除去することができる。
【００９５】
本発明の洗浄組成物の１つの分類は、工業用、施設用、事務所用、または家庭用の使用に利用することができる硬表面用洗浄剤を含む。これらは、例えば、用途の広い硬表面用洗浄剤、トイレ用洗浄剤、シャワー／浴槽／タイル用洗浄剤、殺菌剤、石鹸カスの剥離剤、白カビ剥離剤、ガラス／鏡用洗浄剤またはシミ剥離剤として製剤化されてもよい。これらの洗浄剤の多くは、希釈溶液またはエマルションとして製剤化され、多くはスプレーにより塗布される。
【００９６】
本発明のよる硬表面用洗浄剤は、ほとんどの場合、全組成物の少なくとも２０重量％を構成する水を含むことができる。いくつかの実施形態において、水は全組成物の少なくとも５０重量％を構成することができ、全組成物の少なくとも９９重量％程度を構成してもよい。いくつかの実施形態において、硬表面用洗浄剤は、水混和性が高いアルキルケタールエステル、好ましくは、全比率で水と混和性のあるアルキルケタールエステルをさらに含む。このような水混和性が高いアルキルケタールエステルの例として、Ｍｅ−ＬＧＫ、ＭｅＡｃＡｃＧＫ、Ｅｔ−ＡｃＡｃＧＫまたは、特に、Ｅｔ−ＬＧＫが挙げられるが、アルキルケタールエステルの２種類以上の混合物を使用することができる。いくつかの実施形態において、水混和性が高いアルキルケタールエステル（複数可）は、水混和性がやや低いアルキルケタールエステルと併せて存在してもよい。水混和性がやや低いアルキルケタールエステルの例として、ｎ−プロピル−ＬＧＫ、ｎ−ブチル−ＬＧＫ、エチル−ＬＰＫおよびエチル−ＬＥＫが挙げられる。いくつかの実施形態において、このアルキルケタールエステル（複数可）は、硬表面用洗浄剤の最高で５０重量％の量で存在してもよい。硬表面用洗浄組成物中に存在するアルキルケタールエステルの量は、全組成物の約１％〜約５０重量％、好ましくは、全組成物の約１％〜約２０重量％、より好ましくは、全組成物の約３％〜約１５重量％、または全組成物の約２％〜約１０重量％であってもよい。
【００９７】
いくつかの実施形態において、硬表面用洗浄剤は、水および本明細書記載のアルキルケタールエステル（複数可）のみを含んでもよい。いくつかの実施形態において、この硬表面用洗浄剤は、香料および／または染料をさらに含んでもよい。これらの場合において、このアルキルケタールエステルの機能は汚れ剥離剤の機能、またはより一般的には、活性洗浄剤としての機能であってもよい。より典型的には、この硬表面用洗浄剤は追加の機能物質を含み、ほとんどの場合、少なくとも１種類の界面活性剤を含む。このアルキルケタールエステルおよびこの界面活性剤の両方を含む硬表面用洗浄剤において、このアルキルケタールエステル（複数可）は、（ａ）界面活性剤を可溶化および乳化させる機能ならびに（ｂ）活性洗浄剤としての機能などのいくつかの機能のいずれかまたは全てを果たしてもよい。これらの硬表面用洗浄剤中の界面活性剤は、陰イオン性界面活性剤、または１種類以上の陰イオン性界面活性剤と１種類以上の非イオン性界面活性剤との混合物である場合が多い。あるいは（またはさらに）、この界面活性剤は、１種類以上のＣ１０−１６アルキルグリコシド、アルキルベタイン、またはスルホコハク酸塩などの植物供給源に由来する１種類以上の物質を含んでもよい。
【００９８】
特定の実施形態において、硬表面用洗浄製剤は、全製剤重量の割合として、以下のものを含んでもよい：
ａ）水：２０〜９９％、より典型的には、５０〜９５％；
ｂ−１）１種類以上の水混和性が高いアルキルケタールエステル（複数可）：０〜２５％、より典型的には、１〜１０％であり、このアルキルケタールエステルは、Ｍｅ−ＬＧＫ、Ｍｅ−ＡｃＡｃＧＫ、Ｅｔ−ＡｃＡｃＧＫまたはＥｔ−ＬＧＫのうちの少なくとも１種類を含むことが好ましい；
ｂ−２）１種類以上の混和性がやや低いアルキルケタールエステル（複数可）：０〜１０％、より典型的には、０〜５％；このアルキルケタールエステルは、ｂ）およびｃ）の少なくとも１つが存在するという条件で、ｎ−プロピル−ＬＧＫ、ｎ−ブチル−ＬＧＫ、エチルＬＰＫおよびエチル−ＬＥＫのうちの少なくとも１種類を含むことが好ましい；
ｃ）１種類以上の界面活性剤（複数可）：０．０１％〜２０％、好ましくは、０．１〜１５％、より好ましくは、０．２５〜１０％、さらにより好ましくは１〜７％、場合によっては、１〜５％；この界面活性剤（複数可）は、（１）少なくとも１種類の陰イオン性界面活性剤、（２）少なくとも１種類の非イオン性界面活性剤、（３）少なくとも１種類の非イオン性界面活性剤と少なくとも１種類の陰イオン性界面活性剤の混合物もしくは非イオン性界面活性剤、（４）Ｃ１０−１６アルキルグリコシド、アルキルベタインもしくはスルホコハク酸塩のうちの１種類以上、または（４）（１）、（２）もしくは（３）と（４）の混合物であることが好ましい；
ｄ）一般的に、ブタン、ペンタン、ヘキサンならびにシクロヘキサンまたは−１０℃〜５０℃の沸点を有する塩化炭化水素および／もしくはフッ化炭化水素などの低沸点の炭化水素である１種類以上の噴霧剤；
ｅ）１種類以上の水混和性がやや低い有機溶媒（複数可）；一般に、０〜１０％、好ましくは、存在する場合、０．１〜５％。これは、例えば、上記の長鎖アルコール類、グリコールエーテル類、炭化水素類、ハロゲン化炭化水素類、Ｃ６−９アルキル芳香族化合物類、オレフィン類、テルペン類、テルペンオキシド類、テルペノイド類、油類、天然油誘導体類のうちの１種類以上であってもよい；
ｆ）低級アルコール（例えば、エタノールおよび１−プロパノール）、アセトン、ゴリコール類、ならびにグリコールエーテル類などの１種類以上の水混和性が高い有機溶媒：０〜１０％、好ましくは、存在する場合、０．１〜５％；
ｇ）１種類以上の抗菌剤、０〜５％、好ましくは、存在する場合、０．１〜２％、いくつかの例として、Ｃ１２−１６アルキルジメチルベンジル塩化アンモニウムなどの第４級塩化アンモニウム類および様々なフェニルフェノール化合物類が挙げられる；
ｈ）１種類以上のビルダーまたはキレート剤、特に、リン酸塩、クエン酸塩、ＥＴＤＡ、またはＤＩＤＡなどのキレート剤：０〜３０％、好ましくは、存在する場合、０．０５〜１０％、より好ましくは、存在する場合、０．５〜１％、さらにより好ましくは、存在する場合、２〜８％および、さらにより好ましくは、存在する場合、２〜６％；
ｉ）例えば、次亜塩素酸ナトリウムなどの塩素系漂白剤、または過酸化水素もしくは他のペルオキシ化合物などの非塩素系漂白剤を含む１種類以上の漂白剤：０〜１０％、好ましくは、存在する場合、０．１〜５％；
ｊ）１種類以上のｐＨ調整剤（複数可）（例えば、酸、塩基、ｐＨ緩衝剤）：０〜２％、存在する場合、好ましくは、０．０５〜１％；
ｋ）１種類以上の染料：０〜５％、好ましくは、存在する場合、０．１〜２％；
ｌ）硫酸ナトリウムなどの１種類以上の水溶性無機塩：０〜１０％、好ましくは、存在する場合、０．１〜５％；
ｍ）例えば、水溶性ポリマーを含む１種類以上の粘度増粘剤；０〜１０％、好ましくは、存在する場合、０．１〜５％；
ｎ）１種類以上のタンパク質分解酵素、０〜５％：好ましくは、存在する場合、０．１〜１％；
ｏ）１種類以上の研磨剤；ならびに
ｐ）１種類以上の香料。
【００９９】
上記の構成成分ｂ−２）およびｄ）〜ｐ）は、それらの任意の２つ以上の任意の組み合わせで存在してもよい。構成成分ｂ−２）およびｅ）〜ｎ）のいずれかまたは全ての混合物は、構成成分ｂ−２）が存在しない場合、構成成分ｂ−１）のいくつかは存在しなければならないという条件で、任意の特定の硬表面用洗浄製剤において除かれてもよい。構成成分ｄ）は典型的には、スプレー式洗浄製剤に存在する。場合によっては、単一物質が硬質洗浄製剤中で多数の機能を果たしてもよいことはすぐに気付かれる。
【０１００】
構成成分ｊ）は、３．５以上のｐＨ、好ましくは、６〜１０のｐＨを提供するために存在する場合が多い。
【０１０１】
本発明によるいくつかの例示的な硬質洗浄製剤は以下の通りである。示した割合は、全製剤重量に基づく重量％である。これらの硬質洗浄製剤において、このアルキルケタールエステルには、例えば、エチル−ＬＧＫ、メチル−ＬＧＫ、メチル−ＡｃＡｃＧＫおよびエチル−ＡｃＡｃＧＫなどの少なくとも１種類の構成成分ｂ−１）物質が含まれることが好ましい。これらの硬質洗浄製剤は、１種類以上の構成成分ｂ−１）物質、１種類以上の構成成分ｂ−２）物質を含んでもよく、その例として、メチル−ＬＰＫ、エチル−ＬＰＫ、エチルＬＥＫ、ｎ−プロピル−ＬＧＫ、ｎ−ブチル−ＬＧＫなど、またはｂ−１）およびｂ−２物質の混合物を含んでもよい。特定の製剤により、これらの製剤におけるアルキルケタールエステルの機能は、（１）汚れの分解および／または除去；（２）成分、特に、水溶性が低い成分の水への相溶化；（３）１種類以上の他の成分が溶解または分散する共溶媒混合物の形成、（４）界面活性剤および／もしくは有機溶媒または他のものの除去または減少のうちの１種類以上を含んでもよい。
【０１０２】
一般製剤１−シャワー室のタイル用水性洗浄剤
陰イオン性洗浄剤０〜１０％
アルキルケタールエステル１〜１０％
プロピレングリコールブチルエーテル０〜１０％
Ｄ−グルコピラノース、オリゴマー、デシルオクチルグリコシド０〜１０％
Ｄ−グルコピラノース、オリゴマー、Ｃ１０−１６アルキルグリコシド０〜１０％
ビルダー（複数可）０〜５％
抗菌剤（オルトフェニルフェノールナトリウム）０〜５％、好ましくは０．１〜５％
水（この製剤のバランス）
【０１０３】
これらの界面活性剤のうちの少なくとも１種類（陰イオン性界面活性剤および／またはアルキルグリコシドの１種類）は、上記の製剤中に存在する。全界面活性剤のレベルは、一般的に、１〜１０重量％の範囲にある。
【０１０４】
一般製剤２−水性パイン洗浄剤
低級アルカノール０〜１０％
アルキルケタールエステル０．１〜２５％
パイン油０．１〜１０％
殺菌剤（例えば、第４級アルキル（Ｃ１２−１６）ジメチルベンジル塩化アンモニウム）０〜５、好ましくは１〜５％
非イオン性および／または両性界面活性剤１〜１５、好ましくは、１〜５％
水（この製剤のバランス）
【０１０５】
このアルキルケタールエステルおよび水は、低級アルカノール（製剤中に存在しない場合）、パイン油および界面活性剤が溶解または分散しているかのいずれかである製剤中で、共溶媒混合物を形成すると考えられている。このアルキルケタールエステルが存在すると、低級アルカノールを減少または除去すること、ならびにパイン油の量を減少または除去することが可能になり得る。
【０１０６】
一般製剤３−石鹸かす用水性剥離剤
界面活性剤１〜１０％
ジエチレングリコールモノブチルエーテル０〜１０％
キレート剤（例えば、ＥＤＴＡ四カリウム塩）１〜１０％
ビルダー（例えば、炭酸ナトリウム）０〜２％
アルキルケタールエステル０．１〜１０％
水（この製剤のバランス）
【０１０７】
このアルキルケタールエステルおよび水は、ジエチレングリコールモノブチルエーテル（製剤中に存在する場合）および界面活性剤が溶解しているような製剤中に、共溶媒混合物を形成することができる。このアルキルケタールエステルが存在すると、ジエチレングリコールモノブチルエーテルの量を減少または除去することが可能になり得る。
【０１０８】
一般製剤４−便器用水性洗浄剤
アルキルケタールエステル１〜１０％
水酸化ナトリウム０〜＜１％、好ましくは、０．１〜＜１
アミンオキシド型の界面活性剤０〜＜５％、好ましくは、０．１〜＜５
次亜塩素酸ナトリウム０〜＜５％、好ましくは、０．１〜＜５
水（この製剤のバランス）
【０１０９】
このアルキルケタールエステルはキレート剤として製剤中で機能し、他の成分を可溶化または乳化させるのに役立つと考えられている。
【０１１０】
一般製剤５−硬表面用水性洗浄剤
水混和性が高いおよび混和性がやや低いアルキルケタールエステルの混合物０．１〜２７％
キシレンスルホン酸ナトリウム０〜＜２％、好ましくは、０．１〜＜２
ｄ−リモネン０〜＜２％
ポリエチレングリコール（５）ウンデシルエーテル０〜＜２％、好ましくは、０．１〜＜２
エトキシル化Ｃ８−１６アルキルオキシプロパンアミン０〜＜２％、好ましくは、０．１〜＜２
水（この製剤のバランス）
【０１１１】
ｄ−リモネンは、脱脂溶媒として硬表面用洗浄剤に用いられる場合が多い。このアルキルケタールエステルは、製剤中のｄ−リモネンを置換するか、またはｄ−リモネンの量を減少させることができる。これは、ｄ−リモネンを可溶化または乳化させることもでき、その結果、必要に応じて、ｄ−リモネンが高濃度で存在することができる。この製剤中の脱脂機能を果たす場合、この洗浄製剤は、（水混和性が高い種類よりも一般的に強力な油性洗浄剤である）溶解性がやや低いアルキルケタールエステルを０．１〜２５％含んでもよい。この水混和性が高いアルキルケタールエステルは、この製剤を最高で２０％含んでもよく、水混和性がやや低いアルキルケタールエステルを含む他の成分の相溶化剤および／または可溶化剤として機能する傾向がある。
【０１１２】
一般製剤６−ガラス用水性洗浄剤
低級アルコール０〜７％
界面活性剤０．５〜３％
２−ブトキシエタノール０〜５％
アルキルケタールエステル１〜１０％
水（全製剤のバランス）
【０１１３】
このアルキルケタールエステルおよび水は、低級アルコールおよび２−ブトキシエタノール（存在する場合）が可溶化または分散している製剤中に共溶媒混合物を形成することができる。いくつかの製剤において、このアルキルケタールエステルは、低級アルコールおよび２−ブトキシエタノールの両方を置換することができる。
【０１１４】
一般製剤７−一般洗浄製剤
水  少なくとも６０％
非イオン性界面活性剤（複数可）０〜３５、好ましくは０．１５〜３５％
陰イオン性界面活性剤０〜１０、好ましくは、０．０５〜１０％
アルキルケタールエステル０．１〜２５％
水溶性有機溶媒０〜２０％
塩０．１〜５、好ましくは０．１〜２％
【０１１５】
特に、脱脂機能が必要である場合、水混和性がやや低いアルキルケタールエステルを使用することができるが、水混和性が高いアルキルケタールエステルがこの製剤に好ましい。
【０１１６】
一般製剤８−ｄ−リモネン洗浄剤
ｄ−リモネン１〜６０％
界面活性剤１０〜３０％
水２０〜６５％
アルキルケタールエステル０．１〜１０％
添加剤２〜１２％
【０１１７】
この洗浄製剤は、水混和性が高いアルキルケタールエステルと水混和性がやや低いアルキルケタールエステルの混合物、水混和性の高いアルキルケタールエステルのみ、または両方の種類の混合物を含むことができる。この製剤中にこれらのアルキルケタールエステルが存在すると、（特に、水混和性がやや低いアルキルケタールエステルが存在する場合）ｄ−リモネンレベルを減少させることを可能にし、水相でｄ−リモネンを可溶化または乳化させることができる。
【０１１８】
一般製剤９−水性シミ剥離剤
水酸化ナトリウム０．５〜１．５％
アクリル酸重合体／共重合体１〜５％
Ｃ１２−１４の第２級エトキシル化アルコール０〜１３％
アルキルケタールエステル０．１〜２５％
水７５〜９０％
【０１１９】
一般製剤１０−水性の起泡性洗浄剤
キレート剤（例えば、エチレンジアミン四酢酸四ナトリウム）３〜７％
イソブタン３〜７％
ジエチレングリコールモノブチルエーテル０〜７％
アルキルケタールエステル０．１〜１０％
陰イオン性界面活性剤１〜１０
非イオン性界面活性剤０〜５
水（この製剤のバランス）
【０１２０】
一般製剤１１−床用洗浄剤
プロピレングリコールモノメチルエーテル０〜１５％
水混和性が高いアルキルケタールエステル０．１〜２５％
水５５〜６１％
オレイン酸０〜１７％
水混和性がやや低いアルキルケタールエステル０．１〜２５％
トリエタノールアミン１１〜１３％
【０１２１】
一般製剤１２−床用剥離剤Ｉ
プロピレングリコールモノメチルエーテル０〜１５％
水混和性が高いアルキルケタールエステル０．１〜２５％
水酸化アンモニウム０〜１０、好ましくは、１〜７％
陰イオン性界面活性剤（例えば、エチルヘキシル硫酸ナトリウム）４〜５％
水（全製剤のバランス）
【０１２２】
一般製剤１１および１２のアルキルケタールエステル（複数可）は、この製剤中で油汚れを分解し、かつ他の汚れを除去する機能を果たすことができ、プロピレングリコールモノメチルエーテルの除去またはさらなる完全除去が可能になり得る。
【０１２３】
一般製剤１３−床用剥離剤ＩＩ
界面活性剤（陰イオン性／非イオン性）１〜２０％
増粘剤０〜５％
アルカリまたはアルカノールアミン１〜４０％
水混和性が高いアルキルケタールエステル０．１〜４０％
水（全製剤のバランス）
【０１２４】
一般製剤１〜１３の硬表面用洗浄剤を含む前述の硬表面用洗浄剤のいずれかは、水の量を減少させることによって、それに応じて、少なくとも界面活性剤の濃度、好ましくはアルキルケタールエステルおよび界面活性剤の両方の濃度を増加させることによって、濃縮形態で調製することができる。このような濃縮された硬表面用洗浄製剤は、水および／または揮発性有機混合物の組み合わせを最高で６０％含んでもよく、より典型的には、それをわずか４０％含む。このような濃縮製剤は、本明細書記載の少なくとも１種類のアルキルケタールエステル（少なくとも１種類の水混和性が高い種類を含むことが好ましい）を５〜７０重量％または１０〜５０重量％、ならびに少なくとも１種類の界面活性剤を５〜７０％または１０〜５０％含む場合が多い。
【０１２５】
様々な種類の硬表面を、本発明の硬表面用洗浄剤を用いて洗浄することができる。この硬表面は、例えば、磁器もしくは他のセラミック物質；金属表面、木製表面、石膏もしくは他の乾式壁表面、プラスチック表面、コンクリートまたはセメントの表面、または他の硬表面であってもよい。この硬表面は、例えば、流し、トイレ、浴槽、シャワー壁などの台所または浴室の取り付けられた付属品；硬材、タイルリノリウム、ビニル、セメントまたは他のものの床；内壁、窓または鏡、硬質家具表面などであってもよい。
【０１２６】
別の態様において、本発明は、水性ベースの油性洗浄剤またはオーブン洗浄剤である。油性洗浄剤は、工業、自動車、海洋、航空宇宙、施設、事務所または家庭の用途に有用であり得る。
【０１２７】
本発明の水性ベースの油性洗浄剤またはオーブン洗浄剤は、ほとんどの場合、全製剤の少なくとも１０重量％を構成する水を含む。いくつかの実施形態において、水は全製剤の少なくとも３０重量％を構成し、さらなる実施形態において、全製剤の最高で８０重量％程度を構成する。
【０１２８】
水性ベースの油性洗浄剤またはオーブン洗浄剤におけるこのアルキルケタールエステルの重要な機能は、油脂または油汚れに対する溶媒としての機能である。したがって、水性ベースの油性洗浄剤またはオーブン洗浄剤は、（ｎ−プロピル−ＬＧＫ、ｎ−ブチル−ＬＧＫ、エチル−ＬＰＫおよびエチル−ＬＥＫなどの）少なくとも１種類の水溶性のやや低いアルキルケタールエステルを含むことが好ましく、それらのアルキルケタールエステルは、より効果的な油性洗浄剤である傾向がある。この溶解性のやや低いアルキルケタールエステルは、最高で２５重量％の量で存在してもよく、存在する場合、全製剤の０．１〜１０重量％を構成することが好ましい。
【０１２９】
水性ベースの油性洗浄剤またはオーブン洗浄剤は、水混和性が高いアルキルケタールエステル、好ましくは、全比率で水と混和性のあるアルキルケタールエステルを含んでもよい。この水混和性が高いアルキルケタールエステル（複数可）は、水性ベースの油性洗浄剤またはオーブン洗浄剤の全組成物中、４０重量％以上の量で存在してもよい。いくつかの実施形態において、選択される水混和性が高いアルキルケタールエステルは、全比率で水と混和性がなくてもよく、このような場合、その混和性の限度を下回る量で組成物中に存在することが好ましい。本発明による水性の油性洗浄剤またはオーブン洗浄剤は、水混和性が高いアルキルケタールエステルを少なくとも１％含み、水混和性が高いアルキルケタールエステルを少なくとも５重量％含むことがより好ましい。この水混和性が高いアルキルケタールエステルは、Ｍｅ−ＬＧＫ、ＭｅＡｃＡｃＧＫ、Ｅｔ−ＡｃＡｃＧＫまたは、特に、Ｅｔ−ＬＧＫであることが好ましいが、これらの２種類以上の混合物を使用することができる。
【０１３０】
水性ベースの油性洗浄剤またはオーブン洗浄剤は、場合により、香料および／または染料を組み合わせて、水およびこのアルキルケタールエステル（複数可）のみを含んでもよい。
【０１３１】
水性ベースの油性洗浄剤またはオーブン洗浄製剤は、全製剤重量の割合として、以下のものを含んでもよい：
ａ）水：１０〜８０％、より典型的には、３０〜８０％；
ｂ−１）１種類以上の水混和性が高いアルキルケタールエステル（複数可）：０〜４０％、より典型的には、１〜４０％、さらに好ましくは、５〜２５％；アルキルケタールエステルは、Ｍｅ−ＬＧＫ、ＭｅＡｃＡｃＧＫ、Ｅｔ−ＡｃＡｃＧＫまたはＥｔ−ＬＧＫのうちの少なくとも１種類を含むことが好ましい；
ｂ−２）１種類以上の水混和性がやや低いアルキルケタールエステル（複数可）：０．１〜２５％、より典型的には、０．１〜１０％；このアルキルケタールエステルは、ｎ−プロピル−ＬＧＫ、ｎ−ブチル−ＬＧＫ、エチル−ＬＰＫおよびエチル−ＬＥＫの少なくとも１種類を含むことが好ましい；
ｃ）１種類以上の界面活性剤（複数可）：０〜２５％、好ましくは、存在する場合、０．１〜１０％；これらの界面活性剤は、（１）少なくとも１種類の陰イオン性または非イオン性界面活性剤、（２）１種類以上の非イオン性界面活性剤、（３）少なくとも１種類の非イオン性界面活性剤と少なくとも１種類の陰イオン性界面活性剤の混合物、（４）Ｃ１０−１６アルキルグリコシド、アルキルベタインもしくはスルホコハク酸塩のうちの１種類以上、または（５）（１）、（２）もしくは（３）と（４）の混合物であることが好ましい；
ｅ）１種類以上の水混和性がやや低い有機溶媒（複数可）；一般に、０〜１０％、好ましくは、存在する場合、０．１〜５％。これは、例えば、上記のアルコール類、グリコールエーテル類、炭化水素類、ハロゲン化炭化水素類、Ｃ６−９アルキル芳香族化合物類、オレフィン類、テルペン類、テルペンオキシド類、テルペノイド類、油類、天然油誘導体類のうちの１種類以上であってもよい；
ｆ）低級アルコール（例えば、エタノールおよび１−プロパノール）、アセトンなどの１種類以上の水混和性が高い有機溶媒：０〜１０％、好ましくは、存在する場合、０．１〜５％。いくつかの実施形態において、この混和性の高い有機溶媒（複数可）は、アルキルケタールエステル（複数可）の存在により全部除去される場合も多くあり得る；ならびに、
硬表面用洗浄剤に関して、上記の構成成分ｄ）およびｇ）〜ｐ）の１種類以上。いくつかの実施形態において、構成成分ｄ）〜ｐ）は、それらの任意の２種類以上の任意の組み合わせで存在してもよい。いくつかの実施形態において、構成成分ｄ）〜ｐ）のいずれかまたは全部は、任意の特定の硬表面用洗浄製剤において除去されてもよい。
【０１３２】
本発明による例示的な油性洗浄剤／オーブン洗浄製剤は以下の通りである。示した割合は、全製剤重量に基づく重量％である。これらの製剤において、このアルキルケタールエステルには、１種類以上の水混和性がやや低いアルキルケタールエステルが含まれることが好ましく、それらの例として、メチル−ＬＰＫ、エチル−ＬＰＫ、エチル−ＬＥＫ、ｎ−プロピル−ＬＧＫ、ｎ−ブチル−ＬＧＫなどが挙げられる。例えば、エチル−ＬＧＫ、メチル−ＬＧＫ、メチル−ＡｃＡｃＧＫおよびエチル−ＡｃＡｃＧＫなどの１種類以上の水混和性が高いアルキルケタールエステルも存在してもよい。これらの製剤において、水混和性がやや低いアルキルケタールエステル（複数可）は、油性洗浄剤および／または汚れ用の溶媒として機能する。これらのアルキルケタールエステルは、他の機能（成分、特に、水溶性のやや低い成分の水に対する相溶性；１種類以上の他の成分が溶解もしくは分散している共溶媒混合物の形成、または界面活性剤および／もしくは有機溶媒もしくは他のものの除去または減少）も果たしてもよい。
【０１３３】
一般製剤１４−深鍋および浅鍋用の水を含む油性洗浄剤
ジエチレングリコールモノブチルエーテル０〜１０％
モノエタノールアミン（ＭＥＡ）０．１〜１％
炭酸塩１〜５％
水混和性がやや低いアルキルケタールエステル１〜１０％
水混和性が高いアルキルケタールエステル０〜２５％、好ましくは、０．１〜２５％
キレート剤（例えば、クエン酸二水素ナトリウム）１〜１０％
陰イオン性界面活性剤（例えば、クメンスルホン酸ナトリウム、アルキル（Ｃ１０−１６）ベンゼンスルホン酸ナトリウム塩３〜２９％）
非イオン性界面活性剤０〜１０％
水（全製剤のバランス）
【０１３４】
一般製剤１４において、この水混和性がやや低いアルキルケタールエステルは、油性洗浄剤および／または汚れ剥離剤として機能し、ジエチレングリコールモノブチルエーテルの減少または除去が可能になり得る。水混和性が高いアルキルケタールエステルは、存在する場合、（溶解性のやや低いアルキルケタールエステルを含む）他の構成成分と水を相溶化させることができる。
【０１３５】
本発明の油性洗浄剤またはオーブン洗浄剤は、脂肪類、植物油類、石油製品、潤滑剤などの疎水性の高い物質、ならびにそれらの種類の汚染物質および分解生成物で汚染された任意の硬表面を洗浄するのに有用である。これらの表面は、例えば、家庭、事務所および／または工業装置、（石油製品および／もしくは潤滑剤を使用する自動車修理施設または他の施設などの）製造および修理の施設において使用され得る。
【０１３６】
液体またはゲル状の食器洗浄製剤は、本発明のさらなる実施形態である。これらの食器洗浄製剤を、手洗いまたは機械洗浄の用途で使用してもよい。本発明の食器洗浄製剤は、ほとんどの場合、全製剤の少なくとも４０重量％を構成する水を含む。水は、全製剤の少なくとも５０重量％を構成する場合が多く、全製剤の７５重量％程度を構成してもよい。液体またはゲル状の食器洗浄製剤は、水混和性が高いアルキルケタールエステル、好ましくは、全比率で水と混和性のあるアルキルケタールエステルを含んでもよい。この水混和性が高いアルキルケタールエステルは、Ｍｅ−ＬＧＫ、ＭｅＡｃＡｃＧＫ、Ｅｔ−ＡｃＡｃＧＫ、または特に、Ｅｔ−ＬＧＫであることが好ましいが、これらの２種類以上の混合物を使用することができる。ｎ−プロピル−ＬＧＫ、ｎ−ブチル−ＬＧＫ、エチル−ＬＰＫおよびエチル−ＬＥＫなどの水混和性がやや低いアルキルケタールエステルは、単独で、または１種類以上の水混和性が高いアルキルケタールエステルと併せて存在してもよい。アルキルケタールエステル（複数可）は、液体またはゲル状の食器洗浄製剤中、２５重量％以上の量で存在してもよい。
【０１３７】
いくつかの実施形態において、液体またはゲル状の食器洗浄製剤中に存在するアルキルケタールエステル（複数可）は、（ａ）界面活性剤または他の成分の可溶化または乳化ならびに（ｂ）活性洗浄剤としての機能などのいくつかの機能のいずれかまたは全てを果たしてもよい。
【０１３８】
一般に、液体またはゲル状の食器洗浄製剤は、典型的には、硬表面用洗浄製剤に関して記載の少なくとも１種類の界面活性剤を含む。手洗い用食器洗浄製剤中に存在する界面活性剤は、陰イオン性界面活性剤、または１種類以上の陰イオン性界面活性剤と１種類以上の非イオン性界面活性剤との混合物である場合が多い。機械用食器洗浄液または機械用食器洗浄ゲルの中の界面活性剤は、より典型的には起泡性を減らすために非イオン性界面活性剤である。あるいは（またはさらに）、この界面活性剤は、１種類以上のＣ１０−１６アルキルグリコシド、アルキルベタイン、またはスルホコハク酸塩などの植物源に由来する１種類以上の物質を含んでもよい。
【０１３９】
水性またはゲル状の食器洗浄製剤は、全製剤重量の割合として、以下のものを含んでもよい：
ａ）水：４０〜７５％、より典型的には、５０〜９５％；
ｂ−１）１種類以上の水混和性が高いアルキルケタールエステル（複数可）：０〜２５％、より典型的には、１〜１０％；このアルキルケタールエステルは、Ｍｅ−ＬＧＫ、ＭｅＡｃＡｃＧＫ、Ｅｔ−ＡｃＡｃＧＫまたはＥｔ−ＬＧＫのうちの少なくとも１種類を含むことが好ましい；
ｂ−２）１種類以上の水混和性がやや低いアルキルケタールエステル（複数可）：０〜１０％、より典型的には、０〜５％；このアルキルケタールエステルは、ｂ−１）およびｂ−２）の少なくとも１つが存在するという条件で、ｎ−プロピル−ＬＧＫ、ｎ−ブチル−ＬＧＫ、エチル−ＬＰＫおよびエチル−ＬＥＫの少なくとも１種類を含むことが好ましい；
ｃ）１種類以上の界面活性剤（複数可）：０．１〜４５％、好ましくは、１〜４０％、より好ましくは、１〜３５％、さらにより好ましくは、１〜１０％、場合によっては、１５〜３５％がより好ましい；これらの界面活性剤は、（１）少なくとも１種類の陰イオン性界面活性剤、（２）少なくとも１種類の非イオン性界面活性剤、（３）少なくとも１種類の非イオン性界面活性剤と少なくとも１種類の陰イオン性界面活性剤の混合物、（４）Ｃ１０−１６アルキルグリコシド、アルキルベタインもしくはスルホコハク酸塩のうちの１種類以上、または（５）（１）、（２）もしくは（３）と（４）の混合物であることが好ましい；
ｈ）１種類以上のビルダーまたはキレート剤、特に、ＥＤＴＡまたはＤＩＤＡなどのキレート剤、０〜３０％、好ましくは、存在する場合、０．１〜３０％、より好ましくは、存在する場合、１〜２５％、さらにより好ましくは、存在する場合、１〜１０％；
ｉ）例えば、次亜塩素酸ナトリウムなどの塩素系漂白剤または非塩素系漂白剤を含む１種類以上の漂白剤：０〜１０％、好ましくは、存在する場合、０．１〜５％；
ｏ）１種類以上の研磨剤、０〜３０％、好ましくは、存在する場合、１〜２０％。
【０１４０】
さらに、水性またはゲル状の食器洗浄製剤は、硬表面用洗浄剤に関して先に記載した構成成分ｄ）〜ｇ）、ｊ）〜ｎ）もしくはｐ）のいずれかを単独で、またはそれらの任意の２種類以上の任意の組み合わせで含んでもよい。
【０１４１】
本発明によるいくつかの例示的な食器洗浄製剤は以下の通りである。示した割合は、全製剤重量に基づく重量％である。これらの食器洗浄製剤において、このアルキルケタールエステルには、例えば、エチル−ＬＧＫ、メチル−ＬＧＫ、メチル−ＡｃＡｃＧＫおよびエチル−ＡｃＡｃＧＫなどの少なくとも１種類の水混和性が高いアルキルエステルが含まれることが好ましい。
【０１４２】
例えば、メチル−ＬＰＫ、エチル−ＬＰＫ、エチル−ＬＥＫ、ｎ−プロピル−ＬＧＫ、ｎ−ブチル−ＬＧＫなどの水混和性がやや低いアルキルケタールエステルは、特に、油汚れを分解する機能のために存在してもよい。これらの食器洗浄製剤は、１種類以上の水混和性がやや低いアルキルケタールエステルと共に、１種類以上の水混和性が高いアルキルケタールエステルを含んでもよい。すでに述べたように、このアルキルケタールエステルは、これらの食器洗浄製剤において、油汚れの分解に加えて、様々な機能を果たしてもよい。これらには、（１）汚れの分解および／または除去；（２）成分、特に、水溶性のやや低い成分の水に対する相溶性；（３）１種類以上の他の成分が溶解もしくは分散している共溶媒混合物の形成、（４）界面活性剤および／もしくは有機溶媒もしくは他のものの除去または減少のうちの１つ以上が含まれる。
【０１４３】
一般製剤１５−ゲル状の食器洗浄機用水性洗浄剤
主成分（水酸化ナトリウム）＜１．０％
アルキルケタールエステル０．１〜２５％、好ましくは、１〜１０％
陰イオン性界面活性剤（例えば、アルキルベンゼンスルホン酸塩）０．１〜＜２５％
増粘剤（キサンタンガム）１〜３％
研磨剤０〜３０％
水（この製剤のバランス）
【０１４４】
一般製剤１６−手洗い用水性液体食器洗浄剤
アルキルケタールエステル０．１〜２５％
低級アルコール０〜１０％
硫酸ナトリウム０〜１５、好ましくは、０．１〜２％
陰イオン性界面活性剤（例えば、ドデシルベンゼンスルホン酸ナトリウム）１〜３０％、好ましくは、１〜２０％
非イオン性界面活性剤０〜２５％、好ましくは、１〜１５％
水（この製剤のバランス）
【０１４５】
一般製剤１７−機械用水性液体食器洗浄剤ＩＩ
アルキルケタールエステル０．１〜５％
非イオン性界面活性剤１〜４０％
ケイ酸ナトリウム１〜３０％
炭酸ナトリウム１〜２５％
過酸化水素０〜５％
水（この製剤のバランス）
【０１４６】
一般製剤１８−食器洗浄剤マイクロエマルション
水１０〜４０％
界面活性剤１〜２０％
第２級または第４級Ｃ４〜Ｃ５アルコール０〜５０％
水混和性が高いアルキルケタールエステル０．１〜２５％
テルペン０〜８８％
水混和性がやや低いアルキルケタールエステル０．１〜５０％
【０１４７】
一般製剤１５〜１８の中のアルキルケタールエステルは、特に、それらのうちの１種類は水溶性のやや低い種類である場合、油性洗浄剤および／または汚れ剥離剤として機能することができる。このアルキルケタールエステルは、（溶解性のやや低いアルキルケタールエステルを含む）他の構成成分と水を相溶化することもでき、他の溶媒（アルコール、テルペンなど）の減少または除去が可能になり得る。
【０１４８】
本発明の他の実施形態において、洗浄組成物は洗濯用液体製品であり、手洗いまたは機械洗浄のためのものであってもよい。本発明の洗濯用液体製剤は、ほとんどの場合、全組成物の少なくとも６０重量％を構成する水を含む。水は、全製剤の少なくとも７５重量％を構成する場合が多く、全製剤の９５重量％程度を構成してもよい。洗濯用液体製剤は、水混和性が高いアルキルケタールエステル、好ましくは、全比率で水と混和性のあるアルキルケタールエステルを含んでもよい。この水混和性が高いアルキルケタールエステルは、Ｍｅ−ＬＧＫ、ＭｅＡｃＡｃＧＫ、Ｅｔ−ＡｃＡｃＧＫ、または特に、Ｅｔ−ＬＧＫであることが好ましいが、これらの２種類以上の混合物を使用することができる。この混和性の高いアルキルケタールエステル（複数可）は、洗濯用液体製品中、最高で２５重量％の量で存在してもよい。この混和性の高いアルキルケタールエステルが、全比率において水と混和性がない場合、その混和性の限度を下回る量で存在することが好ましい。いくつかの実施形態において、洗濯用液体製品製剤は、ｎ−プロピル−ＬＧＫ、ｎ−ブチル−ＬＧＫ、エチル−ＬＰＫおよびエチル−ＬＥＫなどの混和性がやや低いアルキルケタールエステルと併せて存在する混和性が高いアルキルケタールエステルの１種類以上を含む。この組成物は、アルキルケタールエステル（複数可）を少なくとも１％含むことが好ましく、それを少なくとも５重量％含むことがより好ましい。
【０１４９】
洗濯用液体製品において、このアルキルケタールエステル（複数可）は、界面活性剤または他の成分を可溶化および乳化させる機能、または活性洗浄剤としての機能などのいくつかの機能のいずれかまたは全てを果たしてもよい。
【０１５０】
洗濯用液体製品は、典型的には、硬表面用洗浄剤に関する上記の少なくとも１種類の界面活性剤を含む。ビルダーおよび／またはタンパク質分解酵素は、一般に、塩素系および非塩素系の漂白剤と同様に洗濯用液体製品中に存在する。
【０１５１】
洗濯用液体製剤は、全製剤重量の割合として、以下のものを含んでもよい：
ａ）水：５０〜９５％；
ｂ−１）１種類以上の水混和性が高いアルキルケタールエステル（複数可）：０．１〜２５％、より典型的には、１〜１０％；このアルキルケタールエステルは、Ｍｅ−ＬＧＫ、ＭｅＡｃＡｃＧＫ、Ｅｔ−ＡｃＡｃＧＫまたはＥｔ−ＬＧＫのうちの少なくとも１種類を含むことが好ましい；
ｂ−２）１種類以上の水混和性がやや低いアルキルケタールエステル（複数可）：０〜１０％、より典型的には、０〜５％；このアルキルケタールエステルは、ｎ−プロピル−ＬＧＫ、ｎ−ブチル−ＬＧＫ、エチル−ＬＰＫおよびエチル−ＬＥＫの少なくとも１種類を含むことが好ましい；
ｃ）１種類以上の界面活性剤（複数可）：０．１〜４５％、好ましくは、１〜４０％、より好ましくは、１〜３５％、さらにより好ましくは、１〜１０％、場合によっては、１５〜３５％がより好ましい；これらの界面活性剤は、（１）少なくとも１種類の陰イオン性界面活性剤、（２）非イオン性界面活性剤、（３）少なくとも１種類の非イオン性界面活性剤と少なくとも１種類の陰イオン性界面活性剤の混合物、（４）Ｃ１０−１６アルキルグリコシド、アルキルベタインもしくはスルホコハク酸塩のうちの１種類以上、または（５）（１）、（２）もしくは（３）と（４）の混合物であることが好ましい；
ｈ）１種類以上のビルダーまたはキレート剤、特に、ＥＤＴＡまたはＤＩＤＡなどのキレート剤：０〜３０％、好ましくは、存在する場合、０．１〜３０％、より好ましくは、存在する場合、１〜２５％、さらにより好ましくは、存在する場合、１〜１０％；
ｉ）例えば、次亜塩素酸ナトリウムなどの塩素系漂白剤または非塩素系漂白剤を含む１種類以上の漂白剤：０〜１０％、好ましくは、存在する場合、０．１〜５％；
ｏ）１種類以上の研磨剤：０〜３０％、好ましくは、存在する場合、１〜２０％；
ｐ）例えば、カルボキシメチルセルロース塩および酢酸セルロース高分子剤などの１種類以上の再堆積を防ぐ添加剤、０〜５％、好ましくは、存在する場合、０．１〜２％；ならびに
ｑ）（例えば、スルホン酸化トリアジン−スチルベン、クマリン、イミダゾリン、ジアゾール、トリアゾール、ベンゾキサゾリンおよびビフェニルスチルベンを含む）光学光沢剤、蛍光光沢剤、および蛍光白色剤を含む光沢剤、好ましくは、存在する場合、０．１〜１％。
【０１５２】
さらに、洗濯用液体製品は、先にまとめた構成成分ｅ）〜ｇ）、ｊ）〜ｎ）またはｐ）のいずれかを単独で、またはそれらの任意の２種類以上の任意の組み合わせで含んでもよい。構成成分ｅ）〜ｇ）、ｊ）〜ｎ）またはｐ）のいずれかまたは全部は、任意の特定の洗濯用液体製剤から除去されてもよい。特に、構成成分（複数可）ｅ）およびｆ）は、この製品から除去することができ、それらの機能は、この製剤中に存在するアルキルケタールエステルによって引き継がれることは本発明の利点である。
【０１５３】
本発明によるいくつかの例示的な洗濯用液体製剤は以下の通りである。示した割合は、全製剤重量に基づく重量％である。これらの洗濯用液体製剤において、このアルキルケタールエステルには、例えば、エチル−ＬＧＫ、メチル−ＬＧＫ、メチル−ＡｃＡｃＧＫおよびエチル−ＡｃＡｃＧＫなどの少なくとも１種類の水混和性が高いアルキルエステルが含まれることが好ましい。これらの食器洗浄製剤は、１種類以上の混和性がやや低いアルキルエステルと共に、１種類以上の水混和性が高いアルキルエステルを含んでもよい。この洗濯用液体製剤におけるこれらのアルキルケタールエステルの機能は、硬表面用洗浄剤に関して先に記載した機能と同じである。
【０１５４】
一般製剤１９−洗濯用水性液体洗浄剤
水酸化ナトリウム０〜１％
塩化ナトリウム約１％
非イオン性界面活性剤（例えば、エトキシル化アルコール（Ｃ１２−１６））０〜２０、好ましくは、０．１〜６％
陰イオン性界面活性剤（例えば、ベンゼンスルホン酸、Ｃ１０−１６アルキル）１〜２０、好ましくは、１〜１０％
ビルダー（複数可）０〜１０
再堆積防止剤０〜１％
タンパク質分解酵素０〜２
光沢剤（蛍光剤）０〜１
緩衝剤（複数可）０〜５
アルキルケタールエステル０．１〜２５％
水（全製剤のバランス）
【０１５５】
一般製剤２０−洗濯用水性シミ剥離剤
タンパク質分解酵素０〜＜１％
界面活性剤１０〜２０％
キレート剤０．５〜１．５％
アルキルケタールエステル１〜１０％
水（全製剤のバランス）
【０１５６】
一般製剤２１−ドライクリーニング用水性組成物
水６０〜９５％
ポリアクリル酸塩０．２〜０．５％
混合したグリコールエーテル０〜３０％
アルキルケタールエステル０．１〜２５％
界面活性剤（複数可）＞０．１％
１，２−オクタンジオール０．０１〜５％
【０１５７】
一般製剤１９〜２１の製剤を含む前述の洗濯用液体製剤のいずれかは、水の量を減少させることによって、それに応じて、少なくとも界面活性剤の濃度、好ましくは、アルキルケタールエステルおよび界面活性剤の両方の濃度を増加させることによって、濃縮形態で調製することができる。このような濃縮された硬表面用洗浄製剤は、水および／または揮発性有機化合物の組み合わせを最高で５０％含んでもよく、より典型的には、それをわずか４０％含む。このような濃縮製剤は、本明細書記載の少なくとも１種類のアルキルケタールエステル（少なくとも１種類の水混和性が高い種類を含むことが好ましい）を５〜７０重量％または１０〜５０重量％、ならびに少なくとも１種類の界面活性剤を５〜７０％または１０〜５０％含む場合が多い。
【０１５８】
本発明の他の実施形態において、この洗浄組成物は、絨毯用または他の軟表面用の洗浄製品である。これらの製品は以下のものを含んでもよい：
ａ）水：１０〜９０％；
ｂ−１）１種類以上の水混和性が高いアルキルケタールエステル（複数可）：０．１〜２５％、より典型的には、１〜１０％；このアルキルケタールエステルは、Ｍｅ−ＬＧＫ、Ｍｅ−ＡｃＡｃＧＫ、Ｅｔ−ＡｃＡｃＧＫまたはＥｔ−ＬＧＫのうちの少なくとも１種類を含むことが好ましい；
ｂ−２）１種類以上の混和性がやや低いアルキルケタールエステル（複数可）：０〜２５％、より典型的には、存在する場合、０．１〜１０％：このアルキルケタールエステルは、ｎ−プロピル−ＬＧＫ、ｎ−ブチル−ＬＧＫ、エチルＬＰＫおよびエチル−ＬＥＫのうちの少なくとも１種類を含むことが好ましい；
ｃ）１種類以上の界面活性剤（複数可）：０％〜２０％、好ましくは、存在する場合、０．１〜１０％；これらの界面活性剤は、（１）少なくとも１種類の陰イオン性界面活性剤、（２）少なくとも１種類の非イオン性界面活性剤と少なくとも１種類の陰イオン性界面活性剤の混合物、（３）Ｃ１０−１６アルキルグリコシド、アルキルベタインもしくはスルホコハク酸塩のうちの１種類以上、または（４）（１）もしくは（２）と（３）の混合物であることが好ましい。これらの製剤は少なくとも１種類のビルダーも含む場合が多く、このビルダーは、この製剤の５０重量％程度を構成してもよく、先に記載した構成成分ｄ）〜ｐ）の任意の１種類以上を含んでもよい。これらの構成成分ｄ）〜ｐ）のいずれかは、この製品に存在しなくてもよい。前と同じように、構成成分ｅ）およびｆ）がこの製剤から除去されてもよいことが本発明の利点である。
【０１５９】
本発明によるいくつかの例示的な絨毯用または軟表面用の洗浄製剤は以下の通りである。示した割合は、全製剤重量に基づく重量％である。これらの製剤において、ほとんど場合、このアルキルケタールエステルには、例えば、エチル−ＬＧＫ、メチル−ＬＧＫ、メチル−ＡｃＡｃＧＫおよびエチル−ＡｃＡｃＧＫなどの少なくとも１種類の水混和性が高いアルキルエステルが含まれることが好ましい。しかし、より強力な洗浄能が必要とされる場合、水混和性がやや低いアルキルケタールエステルを代わりに（または追加で）使用することができる。絨毯用および軟表面用の製剤におけるこれらのアルキルケタールエステルの機能は、硬表面用洗浄剤に関して先に記載した機能と同じである。
【０１６０】
一般製剤２２−絨毯用水性洗浄剤
水６８〜８９％
ビルダー１〜３％
陰イオン性界面活性剤６〜８％
グリコールエーテルＰｎＢ０〜６％
アルキルケタールエステル０．１〜２５％
【０１６１】
この製剤において、このアルキルケタールエステルは、グリコールエーテルＰｎＢの量の減少または除去が可能になり得る。
【０１６２】
一般製剤２３−絨毯用洗浄剤
洗浄剤のビルダー０．１〜５０％
水混和性が高いアルキルケタールエステル０．１〜２５％
脂肪酸アルキルエーテル／二塩基エステル０〜１０％
水混和性がやや低いアルキルケタールエステル０．１〜２５％
界面活性剤０．１〜１０％
水（全製剤のバランス）
【０１６３】
一般製剤２４−絨毯用シャンプー
水５８〜８０％
陰イオン性界面活性剤６〜８％
乳化剤／緩衝剤９〜１２％
グリコールエーテルＰＭ０〜５％
水混和性が高いアルキルケタールエステル０．１〜２５％
オレイン酸カリウム２〜５％
【０１６４】
一般製剤２５−絨毯用シャンプー−中程度の起泡性洗浄剤
水６８〜８９％
グリコールエーテルＤＰＭ０〜６％
水混和性が高いアルキルケタールエステル０．１〜２５％
ビルダー（リン酸三ナトリウム）１〜３％
ドデシル硫酸ナトリウム（界面活性剤）６〜８％
【０１６５】
この製剤において、このアルキルケタールエステルは、グリコールエーテルＤＭＢ量の減少または除去が可能になり得る。
【０１６６】
一般製剤２６−革、ビニル、プラスチック用浄剤
水７７〜８４％
水混和性が高いアルキルケタールエステル０．１〜２５％
エチレングリコールモノブチルエーテル０〜６％
プロピレングリコールモノメチルエーテル０〜１５％
水混和性がやや低いアルキルケタールエステル０．１〜２５％
イソプロパノール０〜３％
ポリエチレングリコール０〜１７％
界面活性剤０．１〜１０、好ましくは、０．１〜５
酢酸アミル０〜２％
【０１６７】
この製剤において、このアルキルケタールエステルは、イソプロパノール、酢酸アミルおよびグリコールエーテル類の量の減少または除去を可能にし、それにより、この製剤を非常に単純化することができる。
【０１６８】
一般製剤２２〜２６の洗浄剤を含む前述の絨毯用または軟表面用の洗浄剤のいずれかは、水の量を減少させることによって、それに応じて、少なくとも界面活性剤の濃度、好ましくは、アルキルケタールエステルおよび界面活性剤の両方の濃度を増加させることによって、濃縮形態で調製することができる。このような濃縮された絨毯用または軟表面用の洗浄製剤は、水および／または揮発性有機化合物の組み合わせを最高で６０％含んでもよく、より典型的には、それをわずか４０％含む。このような濃縮製剤は、本明細書記載の少なくとも１種類のアルキルケタールエステル（少なくとも１種類の水混和性が高い種類を含むことが好ましい）を５〜７０重量％または１０〜５０重量％、ならびに少なくとも１種類の界面活性剤を５〜７０％または１０〜５０％含む場合が多い。
【０１６９】
絨毯用および軟表面用の洗浄剤は、絨毯、敷物、他の布製の床の敷物、カーテン、ファブリック壁紙、日よけ、室内装飾品、革製品および合成皮革製品などを含む様々な繊維製品を洗浄するのに有用である。
【０１７０】
他の実施形態において、本発明は、洗濯用粉末洗剤、粉末または粒状の食器洗浄製品、粉末の漂白洗浄剤などの粉末洗浄製品である。これらの製品は、一般に、製剤中に、少なくとも１種類の界面活性剤、（混和性が高くてもまたは混和性が低くてもよい）アルキルケタールエステル、および（典型的には、担体、研磨剤、洗剤ビルダーもしくは固体の漂白構成成分の１種類以上を含む）固相を含むと特徴づけられる。粉末洗浄製品は、典型的には、界面活性剤を１〜４０％、好ましくは５〜３０％、より好ましくは、１０〜２５％含む。これらは、典型的には、ビルダーを１〜４０％、好ましくは、５〜３０％、より好ましくは、１０〜３０％含む。これらの製品は、典型的には、水を５重量％未満含み、通常、水をわずか約２重量％含む。これらの洗浄製品は、塩素系または非塩素系漂白剤および／またはタンパク質分解酵素も含む場合が多い。硬表面用洗浄剤に関して記載した他の構成成分も、固体粉末形態と調和して存在してもよい。
【０１７１】
本発明によるいくつかの例示的な粉末洗浄製剤は以下の通りである。示した割合は、全製剤重量に基づく重量％である。これらの製剤において、ほとんどの場合、このアルキルケタールエステルには、例えば、エチル−ＬＧＫ、メチル−ＬＧＫ、メチル−ＡｃＡｃＧＫおよびエチル−ＡｃＡｃＧＫなどの少なくとも１種類の水混和性が高いアルキルケタールエステルが含まれることが好ましい。しかし、より強力な洗浄能が必要とされる場合、水混和性がやや低いアルキルケタールエステルを代わりに（または追加で）使用することができる。粉末製剤におけるこれらのアルキルケタールエステルの機能は、硬表面用洗浄剤に関して先に記載した機能と同じである。
【０１７２】
一般製剤２７−食器洗浄用粉末
アルキルケタールエステル０．１〜２５％
非イオン性界面活性剤（複数可）４〜８％
キレート剤（例えば、クエン酸）２〜４％
炭酸ナトリウム０．１〜＜２５％
過ホウ酸ナトリウム０〜１４％
三ポリリン酸五ナトリウム（Ｐｅｎｔａｓｏｄｉｕｍ
ｔｒｉｐｏｌｙｐｈｏｓｐｈａｔｅ）０．１〜＜３５％
タンパク質分解酵素０〜＜２％
陰イオン性界面活性剤（複数可）０〜１０、好ましくは、２〜１０％
ケイ酸ナトリウム＞２５％
無水硫酸ナトリウム１〜１５％
染料／顔料／色素０〜２％
（次亜塩素酸ナトリウムを含む）漂白剤０．１〜１０％
水酸化カリウム０〜５％
【０１７３】
一般製剤２８−漂白粉末洗浄剤
炭酸カルシウム＞６０％
石英０．１〜１％
界面活性剤＜２５％
アルキルケタールエステル１〜１０％
漂白剤（有機物Ｃｌ２／Ｏ２）１〜１０％
【０１７４】
一般製剤２９−洗濯用粉末（洗浄剤）
アルキルケタールエステル１〜１０％
非イオン性界面活性剤３〜７％
アルカリ金属炭酸塩１５〜４０％
タンパク質分解酵素０．１％
陰イオン性界面活性剤７〜１３％
研磨剤（例えば、ゼオライト）２０〜４０％
メタケイ酸ナトリウム２０〜４０％
【０１７５】
本発明の他の実施形態において、この洗浄組成物は、殺菌剤、汚染除去剤および／または静電気防止剤である。これらの種類のいくつかの例示的な洗浄製剤は以下の通りである。示した割合は、全製剤重量に基づく重量％である。これらの製剤において、ほとんどの場合、このアルキルケタールエステルには、例えば、エチル−ＬＧＫ、メチル−ＬＧＫ、メチル−ＡｃＡｃＧＫおよびエチル−ＡｃＡｃＧＫなどの少なくとも１種類の水混和性が高いアルキルケタールエステルが含まれることが好ましい。しかし、より強力な洗浄能が必要とされる場合、水混和性がやや低いアルキルケタールエステルを代わりに（または追加で）使用することができる。粉末製剤におけるこれらのアルキルケタールエステルの機能は、硬表面用洗浄剤に関して先に記載した機能と同じである。
【０１７６】
一般製剤３０−第４級アミンの水性清浄剤
エタノール／ＳＤ  アルコール４０  ０〜５％
殺菌剤（例えば、ドデシルジメチル塩化アンモニウム、アルキル（Ｃ１２−１６）ジメチルベンジル塩化アンモニウム）１〜１５％
アルキルケタールエステル１〜１０％
非イオン性または両性界面活性剤０〜１０％、好ましくは、０．１〜５％
水（全製剤のバランス）
【０１７７】
一般製剤３１−静電気防止用散粉（Ｄｕｓｔｉｎｇ）スプレー
１−プロポキシ−２−プロパノール０〜４％
アルキルケタールエステル０．１〜２５％
防腐剤（複数可）＜１％
シクロデキストリン＜１％
水（全製剤のバランス）
【０１７８】
本発明の洗浄組成物は、簡単な適用および／または投薬の目的で、吸収材上に組込まれてもよい。吸収材の選択は、使用目的に応じて広範に変化してもよい。それゆえに、皮膚の洗浄のために、この洗浄組成物および殺菌組成物は、コットンパッド、ファブリックパッドまたはスポンジに組込まれてもよい。皮膚以外の表面の洗浄には、この洗浄組成物および殺菌組成物をスポンジ、泡または不織布に組込むことが好都合である。スポンジの表面は、研磨剤を含んでもよい。拭き取り繊維またはスポンジへ適用するための洗浄製剤の例は以下の通りである。示した割合は、全製剤重量に基づく重量％である。拭き取り繊維またはスポンジへ適用するためのアルキルケタールエステルには、例えば、エチル−ＬＧＫ、メチル−ＬＧＫ、メチル−ＡｃＡｃＧＫおよびエチル−ＡｃＡｃＧＫなどの少なくとも１種類の水混和性が高いアルキルケタールエステルが含まれることが好ましい。しかし、より強力な洗浄能が必要とされる場合、水混和性がやや低いアルキルケタールエステルを代わりに（または追加で）使用することができる。粉末製剤におけるこれらのアルキルケタールエステルの機能は、硬表面用洗浄剤に関して先に記載した機能と同じである。
【０１７９】
一般製剤３２−一般洗浄剤／湿った拭き取り繊維の組成物
２−ブトキシエタノール０〜５
抗菌剤（例えば、アルキル（Ｃ１２−１６）ジメチルベンジル塩化アンモニウム）０．１〜０．３
非イオン性または両性界面活性剤０〜１０、好ましくは、０．１〜５
アルキルケタールエステル０．１〜１０
水（製剤のバランス）
【０１８０】
この製剤において、このアルキルケタールエステルは、２−ブトキシエタノールを減少させるか、またはこの製剤から除去することが可能になり得る。
【０１８１】
他の特定の実施形態において、本発明の洗浄剤は、ヒトの皮膚、髪または他の組織を洗浄するためのパーソナルケア洗浄製品である。これらの例として、顔用および／または手用の洗浄剤、体用洗浄剤、女性用生理用品、化粧落とし、ならびに（赤ちゃん用シャンプー、ふけ用シャンプー、コンディショニングシャンプーなどを含む）様々な種類のシャンプーが挙げられる。本発明によるパーソナルケア洗浄製品は、ほとんどの場合、全組成物の少なくとも２０重量％を構成する水を含むことができる。いくつかの実施形態において、水は、全組成物の少なくとも５０重量％を構成することができ、全組成物の９９重量％程度を構成してもよい。
【０１８２】
パーソナルケア洗浄製品は、典型的には、皮膚を軟らかくする物質である１種類以上の皮膚軟化剤を含む。これらの皮膚軟化剤には、以下の分類ｓ）〜ｗ）のうちの１種類以上の中の物質が含まれる：
ｓ）パラフィン油、ナフテン油または芳香族鉱油；
ｔ）融点が４５℃未満であり、分子量が少なくとも１９０であり、少なくとも１個のアミド基またはエステル基、および少なくとも８個の炭素原子を含む少なくとも１つのアルキル鎖を含み、水９９％に対し１％程度の水溶性を有する非イオン性有機化合物。これらには、様々な範囲の天然油類および合成エステルおよび合成アミドの生成物が含まれ、これらは、（ＨＬＢが４未満、好ましくは、２未満である）ほとんどまたは全く界面活性剤の特性をもたず、かつ、パーソナルケア洗浄製品において皮膚軟化剤として機能する場合が多い。
【０１８３】
物質の例として以下のものが挙げられる：
ｔ）植物油類および動物性脂肪類ならびにそれらの誘導体類、Ｃ−−２４脂肪酸のＣ８−２４直鎖または分枝鎖のアルキルエステル類、ジカルボン酸のＣ８−２４ジエステル類、Ｃ８−２４直鎖または分枝鎖のアルカン酸のＣ８−２４脂肪酸エステル類、Ｃ８−２４、特に、Ｃ１２−１５安息香酸アルキル、Ｃ８−２４脂肪酸のポリ（プロピレンオキシド）エステル類、芳香族二酸のＣ８−２４直鎖または分枝鎖のジアルキルエステル類、芳香族二酸のＣ８−２４ジ脂肪酸エステル類など；Ｃ８−２４脂肪酸のＣ８−２４直鎖または分枝鎖のアルキルアミド類、ジカルボン酸のＣ８−２４ジアミド類、Ｃ８−２４直鎖または分枝鎖のアルカン酸のＣ８−２４脂肪酸アミド類、Ｃ８−２４脂肪酸のポリ（プロピレンオキシド）アミド類、芳香族二酸のＣ８−２４直鎖または分枝鎖のジアルキルアミド類、芳香族二酸のＣ８−２４ジ脂肪酸アミド類など；
ｕ）融点が４５℃未満であり、水９９％に対し１％程度の水溶性を有する非イオン性有機シリコーン化合物。例として、ジメチコンおよびシクロペンタシロキサンが挙げられる；
ｖ）１−オクタノール、１−デカノール、１−ドセカノール（ｄｏｃｅｃａｎｏｌ）、セチルアルコールなどの長鎖（８個以上の炭素原子）アルコール類。これらのアルコールは、増粘させる機能および可溶化／相溶化させる機能を含む様々な機能を果たすことができ、同様に皮膚軟化剤として機能することができる；
ｗ）ワックス類。ワックスには、セレシンワックス、モンタンワックス、オゾケライトワックス、ピートワックス、パラフィンワックス、微結晶性ワックス、ポリプロピレンワックスおよび他の重合したポリα−オレフィンワックス、置換アミドワックス、ワセリンワックス、エステル化または鹸化ワックスなど、ならびに植物または動物から得られるワックスが含まれる。
【０１８４】
凝集体に存在する場合、構成成分ｓ）〜ｗ）は、パーソナルケア洗浄製品の０．５〜５０重量％を構成する。物質ｏ）〜ｓ）は疎水性が高い傾向があり、それゆえに、これらの物質を含む製品および水は、エマルションの形態で存在する傾向がある。
【０１８５】
パーソナルケア洗浄製品は、特に、多目的の皮膚洗浄剤およびシャンプー製品用の１種類以上の界面活性剤を含んでもよい。本発明による化粧落としは、いくつかの実施形態において、界面活性剤を含まなくてもよい。
【０１８６】
先に記載した界面活性剤のいずれかは、様々な硫酸およびスルホン酸の界面活性剤、スルホコハク酸界面活性剤、ベタイン誘導体などを含むパーソナルケア洗浄製品中に存在することができる。パーソナルケア洗浄製品は、典型的には、イソチアネート、硫酸およびスルホン酸の界面活性剤などの、起泡および洗浄を促す少なくとも１種類の「第１の」界面活性剤を含む。ベタイン、サルコシネート、スルホコハク酸塩、タウレート、エーテル硫酸塩、グルコシド、アミンオキシド、スルタイン、ラクチレート、および／またはグルタメートの界面活性剤などの「第２の」または「起泡性を高める」界面活性剤は、「第１の界面活性剤」と併せて存在してもよい場合が多い。
【０１８７】
存在する場合、この界面活性剤（複数可）は、パーソナルケア洗浄製品の全重量の０．５〜３０％を構成してもよい。
【０１８８】
本発明のパーソナルケア洗浄製品には、構造Ｉの少なくとも１種類のアルキルケタールエステルが含まれる。いくつかの実施形態において、少なくとも１種類の水混和性が高いアルキルケタールエステル、好ましくは、全比率で水と混和性のあるアルキルケタールエステルが、このパーソナルケア洗浄製品中に存在する。このような水混和性が高いアルキルケタールエステルの例として、Ｍｅ−ＬＧＫ、ＭｅＡｃＡｃＧＫ、Ｅｔ−ＡｃＡｃＧＫまたは特に、Ｅｔ−ＬＧＫが挙げられるが、アルキルケタールエステルの２種類以上の混合物を使用することができる。いくつかの実施形態において、この水混和性が高いアルキルケタールエステルは、例えば、ｎ−プロピル−ＬＧＫ、ｎ−ブチル−ＬＧＫ、エチル−ＬＰＫおよびエチル−ＬＥＫなどの水混和性がやや低いアルキルケタールエステルと併せて存在してもよい。さらに他の実施形態において、水混和性がやや低いアルキルケタールエステルは、それ自体、すなわち、水混和性が高いアルキルケタールエステルが存在しない状態で使用される。パーソナルケア洗浄製品中に存在するアルキルケタールエステルの量は、全組成物の約１〜約５０重量％、好ましくは、全組成物の約１〜約２０重量％、より好ましくは、全組成物の約３〜約１５重量％、または全組成物の約２〜約１０重量％であり得る。
【０１８９】
パーソナルケア洗浄製品中のアルキルケタールエステルの機能は、この製品の安定性を増加させかつ／または１種類以上の物質を別の物質に可溶化する乳化剤および／または共溶媒としての機能であってもよい。水混和性が高いアルキルケタールエステルは、特に、この乳化機能および／または共溶媒機能を十分に果たす。水混和性がやや低いアルキルケタールエステルは、共溶媒機能、粘性低下機能を果たすことができ、全ての効果的な洗浄剤である場合が多い。溶解性のやや低いアルキルケタールエステルを少なくとも１重量％含むパーソナルケア洗浄製品は、非常に効果的な化粧落としである。
【０１９０】
上記の構成成分ｄ）〜ｗ）は、本発明のパーソナルケア洗浄製品中に存在してもよい。それらの任意の２種類以上は、一緒に存在することができる。構成成分ｄ）〜ｗ）のいずれかまたは全ての混合物は、任意の特定のパーソナルケア洗浄製品製剤から除去されてもよい。構成成分ｄ）は、典型的には、スプレー製剤中に存在する。場合によっては、単一物質が、パーソナルケア洗浄製品において複数の機能を果たしてもよい。
【０１９１】
さらに、パーソナルケア洗浄製品は、様々なポリクァット（ｐｏｌｙｑｕａｔ）化合物および（シリコーンコポリオールおよびアミノ基を含むシリコーンのような）シリコーン化合物などの１種類以上のヘアーコンディショナー；ステアリン酸グリコールまたはジステアリン酸グリコールなどの１種類以上の乳白剤；ふけ防止、にきび防止、皮膚の白色化、ビタミン、アロエ、酸化防止剤、ＵＶ吸収剤および他の活性剤などの１種類以上の特定の機能的活性；１種類以上の増粘剤または懸濁剤などを含んでもよい。
【０１９２】
本発明によるいくつかの例示的なパーソナルケア洗浄製品は以下の通りである。示した割合は、全製剤重量に基づく重量％である。
【０１９３】
一般製剤３３−低刺激皮膚用クレンザー
部分Ａ：
温かい蒸留水４０〜７５％
部分Ｂ：
スルホコハク酸塩４〜３０％
ココベタイン４〜３０％
ヤシ油脂肪酸ＰＥＧ−７グリセリル１〜１０％
ジステアリン酸ＰＥＧ−１５０  ０．５〜５％
部分Ｃ：フェノキシエタノール０．１〜２％
水混和性が高いアルキルケタールエステル０．１〜２０％
水混和性がやや低いアルキルケタールエステル０〜１０％
【０１９４】
一般製剤３４−アロエベラの洗顔ローション
部分Ａ：
温かい蒸留水４５〜７５％
部分Ｂ：
スルホコハク酸塩４〜３０％
ココベタイン４〜３０％
ステアリン酸グリコールＩＰ２〜６％
部分Ｃ：
アロエベラ１０×濃縮物０．１〜５％
フェノキシエタノール／ＳＡ０．１〜２％
水混和性が高いアルキルケタールエステル０．１〜２０％
水混和性がやや低いアルキルケタールエステル０〜１０％
【０１９５】
このアルキルケタールエステル（複数可）を、一般製剤３３または３４の部分Ａ、ＢおよびＣの全てのいずれかに加えることができる。この水混和性が高いアルキルケタールエステルは、水を有する共溶媒として機能し、他の成分（特に、部分Ｂの物質およびフェノキシエタノール）を可溶化または相溶化することができる。場合によっては、水混和性が高いアルキルケタールエステルが存在すると、部分Ｂの物質およびフェノキシエタノールの濃度を増加させることが可能であり、より高濃度の生成物を形成することができる。
【０１９６】
一般製剤３５−シャンプー
部分Ａ：
ラウリル硫酸アンモニウム塩またはナトリウム塩２０〜５０％
ラウレス硫酸アンモニウム塩またはナトリウム塩１５〜３０％
ラウロイルサルコシンナトリウム２〜１０％
コカミドプロピルアミンオキシド２〜１０％
ＰＰＧエステルまたはＰＥＧエステル０．１〜３％
ポリクァット水溶液１〜３％
エチレングリコールジステアリン酸１〜３％
部分Ｂ：
植物抽出物／誘導体の溶液および担体０〜１％
加水分解したシルク溶液および担体０．０５〜０．２％
加水分解したケラチンタンパク質またはシルクタンパク質０〜２％
メチルイソチアゾリノン０〜０．２％
部分Ｃ：
コカミドプロピルヒドロキシスルタイン５〜１５％
コカミドプロピルベタイン３〜１０％
水混和性が高いアルキルケタールエステル０．１〜２０％
水混和性がやや低いアルキルケタールエステル０〜１０％
【０１９７】
一般製剤３６−ベビーシャンプー
部分Ａ：
エトキシル化グリセリド１０〜２０％
エトキシル化増粘剤０〜２％
部分Ｂ：
ラウレス硫酸ナトリウム塩１０〜３０％
コカミドプロピルヒドロキシスルタイン８〜１５％
脱イオン水４０〜７５％
部分Ｃ：
プロピレングリコールおよびジアゾリジニル尿素およびメチルパラベンおよびパラベン０．１〜２％
ＨＣｌ、１０％溶液、適量
水混和性が高いアルキルケタールエステル０．１〜２０％
水混和性がやや低いアルキルケタールエステル０〜１０％
【０１９８】
このアルキルケタールエステル（複数可）を、一般製剤３５または３６の部分Ａ、ＢおよびＣの全てのうちのいずれかに加えることができる。この水混和性が高いアルキルケタールエステルは、水を有する共溶媒として機能し、他の成分（特に、部分Ｂの物質およびフェノキシエタノール）を可溶化または相溶化することができる。場合によっては、水混和性が高いアルキルケタールエステルが存在すると、部分Ｂの物質の濃度を増加させることが可能であり、より濃縮されたシャンプー製品を作ることができる。
【０１９９】
上記の製剤１〜３６のいずれかは、染料および／または香料などの美剤を含んでもよい。
【０２００】
本発明による洗浄製品は、任意の便利な方法で使用することができる。洗浄は、一般に、洗浄製品を汚れ基質と接触させ、その後、除去した汚れと共に洗浄製品を除去することによって成し遂げられる。特に、この洗浄製品が濃縮形態にある場合、この洗浄製品を適用する前に、水または他の溶媒で希釈してもよい。除去は、例えば、拭き取ること、掃除機をかけること、（例えば、布、モップほうきまたはスポンジによる）機械的除去、吸収材への吸収、および／またはすすぎのうちの１つ以上のステップによって成し遂げることができる。基質から汚れをさらに緩めとるために、必要であれば、スプレーをかけること、こすること、ブラシをかけることおよび／またはゴシゴシ洗うことなどの機械的な汚れの除去ステップを行うことができる。
【０２０１】
本発明の範囲内での多数の改良および変更が当業者に明らかであるので、実例としてのみを意味する以下の実施例において、本発明をさらに詳細に記載する。特に言及しない限り、以下の実施例において報告する全ての部分、全ての割合、および全ての比は重量によるものであり、これらの実施例で使用する全ての試薬は、下記の化学物質製造業者から入手したか、もしくは入手可能であり、または従来技術により合成してもよい。以下の実施例において、エチル−ＬＧＫまたはＥｔ−ＬＧＫは、レブリン酸エチルおよびグリセリンから形成されるアルキルケタールエステルに相当する。エチル−ＬＰＫまたはＥｔ−ＬＰＫはレブリン酸エチルおよび１，２−プロピレングリコールから形成されるアルキルケタールエステルを表す。
【０２０２】
実施例１−Ｅｔ−ＬＰＫを用いた漂白剤の安定性評価
Ｅｔ−ＬＰＫサンプルの純度を、ＧＣ−ＦＩＤ（モデル番号７８９０Ａガスクロマトグラフ
ｗ／フレームイオン化検出器；アジレントテクノロジー社、サンタクララ、カリフォルニア州）により測定する。２０ｍｌバイアル（ホウケイ酸シンチレーション；ＶＷＲインターナショナル、ウェストチェスター、ペンシルベニア州）の中で、水中の６％次亜塩素酸ナトリウム２ｍｌ（漂白剤；クロロックス社、オークランド、カリフォルニア州）をＥｔ−ＬＰＫ８ｍｌと混合し、混合物を形成する。この混合物を激しく撹拌し、ほぼ透明な溶液を生成する。この混合物を、磁気撹拌棒を有する磁気撹拌プレート上で、さらに一晩撹拌する。静置すると、この混合物は２相（上に有機相および下に水相）に分かれる。有機相のサンプルをＧＣ−ＦＩＤにより解析し、混合後、Ｅｔ−ＬＰＫの純度を調べる。ＧＣ−ＦＩＤの結果は、最初のＥｔ−ＬＰＫの純度と比較した時、Ｅｔ−ＬＰＫの純度にほとんど全く変化がないことを示した。このことは、Ｅｔ−ＬＰＫは、消費者用漂白製品でよく見られる次亜塩素酸ナトリウムの濃縮溶液において安定であることを示す。
【０２０３】
実施例２〜３−Ｅｔ−ＬＧＫを用いた漂白剤および過酸化物の安定性評価
２０ｍｌのホウケイ酸ガラスシンチレーションバイアルの中で表１に示す成分を混合し、続いて、激しく撹拌し、透明無色の溶液を形成することによって、実施例２〜３および対照（非漂白剤）製剤を調製する。３日間、室温で静置した後、全製剤は透明無色の均一な溶液である。
【０２０４】
【表１】
0005613763.tif 000008
【０２０５】
９６時間保管した後、実施例２および３ならびに比較サンプルＡの安定性を評価するために、ＧＣ／ＦＩＤ分析を行う。各試験サンプルを用いて３つの分析を行う。対照については、Ｅｔ−ＬＧＫの濃度は約１０％であることが分かる。実施例１については、Ｅｔ−ＬＧＫの濃度が約９．４％であることは、塩素系漂白剤の存在下、この物質がわずかに分解したことを示す。実施例２については、Ｅｔ−ＬＧＫの濃度が対照と同じであることは、過酸化水素漂白剤と相互作用しないことを示す。
【０２０６】
実施例４−Ｅｔ−ＬＰＫの可溶化
２０ｍｌのシンチレーションバイアル中で、上記の物質を室温で振盪しながら混合することによって、Ｅｔ−ＬＧＫ、水およびＥｔ−ＬＰＫの３つの構成成分のいくつかの混合物を調製する。調製した混合物を、混和性について視覚的に分析する。この試験において、透明な混合物は混和性があると考えられ、濁るか、または２つ以上の異なる相を形成する混合物は非混和性であると考えられる。様々な混合物についての結果を表２に記載する。
【０２０７】
【表２】
0005613763.tif 000009
【０２０８】
表２に示すように、Ｅｔ−ＬＰＫは、１０．９％レベルで水に非混和性である。水およびＥｔ−ＬＧＫの混合物は、水のみよりも、Ｅｔ−ＬＰＫに対してはるかに優れた溶媒である。混合物１８に示すように、混和性混合物において、ほぼ５５重量％のＥｔ−ＬＰＫ濃度を得ることができる。
【０２０９】
実施例５および比較サンプルＡ〜Ｃ−イソ酪酸イソブチル（ＩＢＩＢ）の可溶化
水およびイソ酪酸イソブチル（ＩＢＩＢ；アクロスオーガニック（Ａｃｒｏｓ Ｏｒｇａｎｉｃｓ）社、サーモフィッシャーサイエンティフィック部門、ウォルサム、マサチューセッツ州）の混合物を、１０／９０、２５／７５、５０／５０、７５／２５および９０／１０の体積比で調製する。全ての混合物は、非混和性混合物を形成する。ＩＢＩＢを水に可溶化するＥｔ−ＬＧＫの能力を評価するために、透明溶液が得られるまで、２０ｍｌのシンチレーションバイアル中で、約２５℃で、激しく撹拌しながらこれらの混合物の各々にＥｔ−ＬＧＫを加える。各々の場合において、透明溶液を形成するのに必要とされるＥｔ−ＬＧＫの濃度（体積％）を表３にまとめる。
【０２１０】
比較に際し、プロピレングリコールメチルエーテル（アクロスオーガニック社、サーモフィッシャーサイエンティフィック部門、ウォルサム、マサチューセッツ州）、エチレングリコールモノブチルエーテル（シグマアルドリッチ社；セントルイス、ミズーリ州）およびジプロピレングリコールメチルエーテル（シグマアルドリッチ社；セントルイス、ミズーリ州）が、水およびＩＢＩＢを含む透明溶液を形成する能力を、同じ方法で評価する。各々の場合において、透明溶液を形成するのに必要なこれらの比較溶媒の濃度（体積％）を、それぞれ、比較サンプルＡ、ＢおよびＣとして表３にまとめる。
【０２１１】
【表３】
0005613763.tif 000010
＊は本発明の実施例ではない。比は体積比である。ＰＧＭＭＥは、プロピレングリコールモノメチルエーテルである。ＥＧＭＢＥは、エチレングリコールモノブチルエーテルである。ＤＰＧＭＭＥは、ジプロピレングリコールモノメチルエーテルである。
【０２１２】
Ｅｔ−ＬＧＫは、比較共溶媒の各々が有する能力と類似の、水およびＩＢＩＢを相溶化する能力を有することを示す。
【０２１３】
実施例６および比較サンプルＤ〜Ｆ−ヒマシ油の可溶化
水およびヒマシ油（ケミストリーストア社（ＣｈｅｍｉｓｔｒｙＳｔｏｒｅ.ｃｏｍ）；ケイシー、サウスカロライナ州）の混合物を、１０／９０、２５／７５、５０／５０、７５／２５および９０／１０の体積比で調製する。全ての混合物は非混和性混合物を形成する。ヒマシ油を水に可溶化するＥｔ−ＬＧＫの能力を評価するために、透明溶液が得られるまで、２０ｍｌのシンチレーションバイアル中で、約２５℃で、激しく撹拌しながらこれらの混合物の各々にＥｔ−ＬＧＫを加える。各々の場合において、透明溶液を形成するのに必要とされるＥｔ−ＬＧＫの濃度（体積％）を表４にまとめる。
【０２１４】
比較に際し、プロピレングリコールメチルエーテル（アクロスオーガニック社、サーモフィッシャーサイエンティフィック部門、ウォルサム、マサチューセッツ州）、エチレングリコールモノブチルエーテル（シグマアルドリッチ社；セントルイス、ミズーリ州）およびジプロピレングリコールメチルエーテル（シグマアルドリッチ社；セントルイス、ミズーリ州）が、水およびヒマシ油を含む透明溶液を形成する能力を、同じ方法で評価する。各々の場合において、透明溶液を形成するのに必要なこれらの比較溶媒の濃度（体積％）を、それぞれ、比較サンプルＤ、ＥおよびＦとして表４にまとめる。
【０２１５】
【表４】
0005613763.tif 000011
＊は本発明の実施例ではない。比は体積比である。ＰＧＭＭＥは、プロピレングリコールモノメチルエーテルである。ＥＧＭＢＥは、エチレングリコールモノブチルエーテルである。ＤＰＧＭＭＥは、ジプロピレングリコールモノメチルエーテルである。
【０２１６】
Ｅｔ−ＬＧＫは、比較共溶媒の各々が有する能力と類似の、水およびヒマシ油を相溶化する能力を有することを示す。
【０２１７】
実施例７および比較例Ｇ〜Ｉ−大豆メチルエステルの可溶化
水および大豆メチルエステル（ステパンケミカル（Ｓｔｅｐａｎ Ｃｈｅｍｉｃａｌ）社；ノースフィールド、イリノイ州）の混合物を、１０／９０、２５／７５、５０／５０、７５／２５および９０／１０の体積比で調製する。全ての混合物は、非混和性混合物を形成する。大豆メチルエステルを水に可溶化するＥｔ−ＬＧＫの能力を評価するために、透明溶液が得られるまで、２０ｍｌのシンチレーションバイアル中で、約２５℃で、激しく撹拌しながらこれらの混合物の各々にＥｔ−ＬＧＫを加える。各々の場合において、透明溶液を形成するのに必要とされるＥｔ−ＬＧＫの濃度（体積％）を表５にまとめる。
【０２１８】
比較に際し、プロピレングリコールメチルエーテル（アクロスオーガニック社、サーモフィッシャーサイエンティフィック部門、ウォルサム、マサチューセッツ州）、エチレングリコールモノブチルエーテル（シグマアルドリッチ社；セントルイス、ミズーリ州）およびジプロピレングリコールメチルエーテル（シグマアルドリッチ社；セントルイス、ミズーリ州）が、水および大豆メチルエステルを含む透明溶液を形成する能力を、同じ方法で評価する。各々の場合において、透明溶液を形成するのに必要なこれらの比較溶媒の濃度（体積％）を、それぞれ、比較サンプルＧ、ＨおよびＩとして表５にまとめる。
【０２１９】
【表５】
0005613763.tif 000012
＊は本発明の実施例ではない。比は体積比である。ＰＧＭＭＥは、プロピレングリコールモノメチルエーテルである。ＥＧＭＢＥは、エチレングリコールモノブチルエーテルである。ＤＰＧＭＭＥは、ジプロピレングリコールモノメチルエーテルである。
【０２２０】
表５のデータから分かるように、Ｅｔ−ＬＧＫおよび比較共溶媒の全ては、水および大豆メチルエステル油を相溶化することができる。
【０２２１】
実施例８および比較例Ｊ〜Ｌ−２，２，４−トリメチル−１，３−ペンタンジオール（２−メチルプロパン酸）の可溶化
水および２，２，４−トリメチル−１，３−ペンタンジオール（２−メチルプロパン酸）（「テキサノール」）（シグマアルドリッチ社；セントルイス、ミズーリ州）の混合物を、１０／９０、２５／７５、５０／５０、７５／２５および９０／１０の体積比で調製する。全ての混合物は、非混和性混合物を形成する。テキサノールを水に可溶化するＥｔ−ＬＧＫの能力を評価するために、透明溶液が得られるまで、２０ｍｌのシンチレーションバイアル中で、約２５℃で、激しく撹拌しながらこれらの混合物の各々にＥｔ−ＬＧＫを加える。各々の場合において、透明溶液を形成するのに必要とされるＥｔ−ＬＧＫの濃度（体積％）を表６にまとめる。
【０２２２】
比較に際し、プロピレングリコールメチルエーテル（アクロスオーガニック社、サーモフィッシャーサイエンティフィック部門、ウォルサム、マサチューセッツ州）、エチレングリコールモノブチルエーテル（シグマアルドリッチ社；セントルイス、ミズーリ州）およびジプロピレングリコールメチルエーテル（シグマアルドリッチ社；セントルイス、ミズーリ州）が、水およびテキサノールを含む透明溶液を形成する能力を、同じ方法で評価する。各々の場合において、透明溶液を形成するのに必要なこれらの比較溶媒の濃度（体積％）を、それぞれ、比較サンプルＧ、ＨおよびＩとして表６にまとめる。
【０２２３】
【表６】
0005613763.tif 000013
＊は本発明の実施例ではない。比は体積比である。ＰＧＭＭＥは、プロピレングリコールモノメチルエーテルである。ＥＧＭＢＥは、エチレングリコールモノブチルエーテルである。ＤＰＧＭＭＥは、ジプロピレングリコールモノメチルエーテルである。
【０２２４】
表６のデータから分かるように、Ｅｔ−ＬＧＫおよび比較共溶媒の全ては、水およびテキサノールを相溶化することができる。
【０２２５】
実施例９および９Ａならびに比較サンプルＭ−洗浄製剤中のＥｔ−ＬＧＫおよびＥｔ−ＬＰＫ
洗浄製剤９および９Ａを、以下の構成成分を２０ｍｌシンチレーションバイアルの中で混合することによって調製する：４％溶媒（実施例９−Ｅｔ−ＬＧＫ、および実施例９Ａ−Ｅｔ−ＬＰＫ）；４．５％非イオン性界面活性剤（バイオソフトＮ９１−６、ステパン社；ノースフィールド、イリノイ州）；０．５％クエン酸ナトリウムニ水和物（フィッシャーサイエンティフィック、サーモフィッシャーサイエンティフィック部門、ウォルサム、マサチューセッツ州）、および水である製剤のバランス。比較サンプルＭを、実施例９および９Ａに記載の溶媒を追加の水と置き換えて調製する。実施例９および９Ａならびに比較サンプルＭを、激しく撹拌しながら別々に加熱し、視覚的に観察して、これらの製剤が濁る温度を記録する。実施例９の洗浄製剤は、約４８℃で濁る。実施例９で得られた結果は、Ｅｔ−ＬＧＫを、重量ベースで、プロピレングリコールモノメチルエーテル、エタノールおよびエチレングリコールｎ−ブチルエーテルと置き換える時に得られる結果と同様の結果である。実施例９Ａが室温をわずかに上回る温度で濁ることは、Ｅｔ−ＬＰＫの水溶性が低いことと一致する。
【０２２６】
ＣＳＰＡ ＤＣＣ−１７の「硬く、光沢のない表面に使用するスプレー式洗浄剤および拭き取り洗浄剤を評価するための油汚れ試験法」に従って、植物油ベースの汚れ組成物（０．５〜１．０ｇ）を調製する。汚れの組成物を、ステンレス鋼のタイル上の５インチ×７インチ（１２．５ｃｍ×１５．５ｃｍ）の白色磁器に塗布する。汚れたタイルを、２時間１５０℃のオーブン内に垂直に置き、一晩室温で変化させた。スポンジ（ＡＳＴＭ
Ｄ ２４８６）の接着面上に存在する２００ｇ（グラム）重量のガードナー式洗浄力テスター（Ｇａｒｄｎｅｒ Ｌｉｎｅａｒ Ｗａｓｈａｂｉｌｉｔｙ Ｔｅｓｔｅｒ ）（Ｂｙｋ−ガードナー
ＵＳＡ；コロンビア、メリーランド州）を用いて、洗浄試験を行う。実施例９、９Ａおよび比較サンプルＭを別々に評価する。これらのタイルを、２５サイクルまたはこれらのタイルの＞９８％がきれいになるまで（どちらかが最初に起こるまで）洗浄する。
【０２２７】
実施例９Ａにさらした汚れたタイルは、わずか１２サイクルできれいになると確定する。実施例９にさらした汚れたタイルは、２５サイクルで８５％の汚れが除去されることを示す一方で、比較サンプルＭは、２５サイクル後に汚れの８０％のみを除去する。
【０２２８】
実施例１０〜１５−洗浄剤の安定性評価
洗浄剤の実施例１０〜１２を、以下の構成成分を混合することによって調製する：４％Ｅｔ−ＬＧＫ；４．５％非イオン性界面活性剤（バイオソフトＮ９１−６、ステパン社、ノースフィールド、イリノイ州）；０．５％陰イオン性界面活性剤、０．５％クエン酸ナトリウムニ水和物（フィッシャーサイエンティフィック、サーモフィッシャーサイエンティフィック部門；ウォルサム、マサチューセッツ州）、および水（製剤のバランス）。実施例１０において、陰イオン性界面活性剤はドデシルベンゼンスルホン酸（アクロスオーガニック社；ウォルサム、マサチューセッツ州）であり；実施例１１において、陰イオン性界面活性剤はＢｉｏＴｅｒｇｅ ＰＡＳ−８Ｓ（ステパン社、ノースフィールド、イリノイ州）であり、実施例１２において、界面活性剤はＤｏｗｆａｘ ＣｌＯ−ｌ（ダウケミカル社、ミッドランド、ミシガン州）である。実施例１０〜１２の洗浄製剤を激しく撹拌しながら別々に加熱し、視覚的に観察して、これらの溶液が濁る温度を決定する。製剤１０〜１２は、それぞれ、７２℃、５５℃および６０℃で濁る。Ｅｔ−ＬＧＫを、重量ベースで、ジプロピレングリコールモノメチルエーテルまたはエチレングリコールモノブチルエーテルと置き換えると、同様の結果が観察される。
【０２２９】
実施例１３〜１５を、全ての場合において、非イオン性界面活性剤がバイオソフトＮ２５−７（ステパン社、ノースフィールド、ＩＬ）であることを除いて、上記の実施例１０〜１２に関して記載した一般的な方法で調製および試験する。実施例１３〜１５の洗浄製剤を視覚的に観察すると、それぞれ、８０℃、５４℃および６７℃で濁る。実施例１３〜１５において、重量ベースで、ジプロピレングリコールモノメチルエーテルまたはエチレングリコールモノブチルエーテルをＥｔ−ＬＧＫと置き換えると、同じかまたはより低い濁り点が得られることは、非イオン性界面活性剤を可溶化する観点から、Ｅｔ−ＬＧＫが、これらの製剤において、これらの従来の溶媒と同等かまたはそれより優れた機能を果たすことを示す。
【０２３０】
実施例１６〜１７ならびに比較例ＮおよびＯ−軟表面用洗浄製剤（洗濯用プレスポッター（Ｐｒｅ−Ｓｐｏｔｔｅｒ））
実施例１６および１７を、表７に示す以下の構成成分を混合することによって調製する。
【０２３１】
【表７】
0005613763.tif 000014
【０２３２】
別々の３”×４”（７．５ｃｍ×１０ｃｍ）綿／ポリエステルの見本（サイエンティフィックサービスＳ／Ｄ社；スパローブッシュ、ニューヨーク州）に、以下のシミ（サイエンティフィックサービスＳ／Ｄ社；スパローブッシュ、ニューヨーク州からまとめた全てのシミ）を事前に付けた：ボールペンのインク（製品番号７４３５ＷＲＬ、ロット番号１３４５）、使用済み潤滑油（製品番号７４３５ＷＲＬ、ロット番号１９１２）、口紅（製品番号７４３５ＷＲＬ、ロット番号１３５１）、赤ワイン（製品番号７４３５ＷＲＬ、ロット番号１６１２）、コーヒー（製品番号７４３５ＷＲＬ、ロット番号１９１０）および血液（製品番号ＰＥＤＰ７４３５ＷＲＬ、ロット番号１４５７）。各見本の２通りのサンプルを、実施例１６または実施例１７のいずれかの２ｍｌで処理し、続いて、２〜４時間後に市販の洗濯機で洗浄する。洗浄ステップは温かい／冷たい設定で行い、安定させるために３枚の白い木綿のタオルを用いて、耐久プレス加工設定で乾燥させる。各試験について３通りのサンプルを分析する。洗浄および乾燥させた見本を、５人のパネリストが一つ一つ目で調べ、１〜５段階（１はレベルが低く、５が最も良い）に基づいて、清浄度についてランク付けする。洗濯用プレスポッターの性能試験は、ＣＳＰＡ ＤＣＣ−Ｉｌ（「家庭における洗濯の予洗スポッター染み抜き剤」）に基づく。比較例Ｎは、市販のプレスポッティング製剤（Ｓｈｏｕｔ（商標）；ＳＣジョンソン；ラシーヌ、ウィスコンシン州）を用いたことを除いて、実施例１６〜１７と同様に行う。比較例Ｏは、プレスポッティング製剤を含めない同様の洗浄工程の結果である。結果を表８に示す。
【０２３３】
【表８】
0005613763.tif 000015
【０２３４】
実施例１６は、インクおよび口紅のシミに対して比較サンプルＮおよびＯよりも性能が優れており、実施例１７は、赤ワインおよびコーヒーのシミに対して非常に性能が優れている。しかし、比較サンプルＮは、実施例１６〜１７または比較サンプルＯには存在しないタンパク質分解酵素を含む。
【０２３５】
実施例１８および１９ならびに比較サンプルＰおよびＱ：洗濯用濃縮洗浄製剤
実施例１８および１９ならびに比較サンプルＰおよびＱを、２０ｍｌのホウケイ酸ガラスシンチレーションバイアルの中で表９にまとめた構成成分を混合し、手で振盪することにより調製する。実施例１８および１９の各々において、Ｅｔ−ＬＧＫを水の一部と置き換える。全４製剤は、室温で、透明で、均一な溶液である。
【０２３６】
【表９】
0005613763.tif 000016
【０２３７】
５１８本のスピンドルを有するブルックフィールドＤＶ−ＩＩ＋Ｐｒｏ粘度計を用いて、２５℃で、実施例１８および１９ならびに比較サンプルＰおよびＱの粘度を測定する。結果を表１０のｃＰ欄にまとめる
【０２３８】
【表１０】
0005613763.tif 000017
【０２３９】
表１０のデータから分かるように、Ｅｔ−ＬＧＫが存在すると、製剤の粘度が顕著に低下する。
【０２４０】
実施例１８〜１９ならびに比較サンプルＰおよびＱを、１時間、２℃の冷蔵庫に置く。比較サンプルＱは１時間後に濁り、全ての他の溶液は透明のままである。５０℃のオーブンで再び加熱した後は、全溶液は透明で、均一である。
【０２４１】
実施例１８〜１９ならびに比較サンプルＰおよびＱを、１時間、−１６℃の冷凍庫に置き、全溶液を凍結させる。その後、製剤の全てを、室温で解凍させる。解凍後、比較サンプルＱは濁ったままである。残りの全製剤は透明で、均一な溶液に戻る。その後、実施例１８および１９ならびに比較サンプルＰを、同じ方法で、凍結−解凍を２サイクル以上行った後も、実施例１８および１９ならびに比較サンプルＰは透明のままである。これらの結果は、洗濯用濃縮洗浄製剤にＥｔ−ＬＧＫを加えると、温度に安定な洗濯洗浄剤を提供することを示す。
【０２４２】
実施例２０〜２１−冷水洗濯用の濃縮洗浄製剤
実施例２０〜２１を、米国特許公開第２０１０／００４１５７７号（メタルカ（Ｍｅｔａｌｕｃｃａ）社）に記載の方法と同じ方法で調製する。製剤を表１１にまとめる。まとめた構成成分を２０ｍｌホウケイ酸ガラスシンチレーションバイアルの中で混合し、１５分間、５０℃まで加熱し、室温で一晩、機械により撹拌する。両製剤とも透明で、均一な溶液である。上記の製剤の粘度を、５１８本のスピンドルを有するブルックフィールドＤＶ−ＩＩ＋Ｐｒｏ粘度計を用いて測定する。結果を表１１に示す。
【０２４３】
【表１１】
0005613763.tif 000018
【０２４４】
これらの溶液の粘度は、アルキルケタールエステルを含めないで調製する溶液の粘度よりも顕著に低い。
【０２４５】
実施例２０および２１は、一晩、２℃の冷蔵庫に置いた後も均一のままであり、実施例１８および１９に関して記載したように、凍結−解凍の３サイクル後も均一のままである。
【０２４６】
実施例２２および比較サンプルＲ−深鍋および浅鍋用の水性洗浄製剤
実施例２２および比較サンプルＲを、２０ｍｌホウケイ酸ガラスシンチレーションバイアルの中で表１２にまとめた成分を混合し、手で振盪することによって調製する。両製剤とも透明で、均一な溶液である。
【０２４７】
【表１２】
0005613763.tif 000019
【０２４８】
実施例２２および比較サンプルＲの各々を、ホットプレート上で６０℃まで加熱する。両製剤とも６０℃で、透明で、均一な溶液のままであることは、両製剤は６０℃超える濁り点を有することを示す。両溶液は、２℃の冷蔵庫で１時間冷却した後も、均一のままである。これらの結果は、油性洗浄製剤において、アルキルケタールエステルをジエチレングリコールブチルエーテルと置き換えることができることを示す。
【０２４９】
実施例２３−食器用水性ゲル製剤
実施例２３を表１３に示した成分から調製する。
【０２５０】
【表１３】
0005613763.tif 000020
【０２５１】
ＮａＯＨを、２オンスのプリプロピレン容器中の水に加え、１時間オーブンの中で５０まで加熱する。加熱した溶液を、加熱撹拌プレート上で撹拌し、キサンタンガムを２〜３分にわたって加える。界面活性剤およびＥｔ−ＬＧＫを、この撹拌溶液に連続して加える。加熱を止め、５分間室温で撹拌しながら、炭酸カリウムをこの溶液に加える。バイアルを撹拌プレートから取り除く。この生成物の外観は半透明の灰色である。この生成物は、粘性はあるが、注ぐことは可能である。室温で５日間撹拌した後、この生成物は、一方の側にひっくり返した時に屈折しない白色ゲルまで濃厚になる。
【０２５２】
実施例２３を、Ｅｔ−ＬＧＫと水を置きかえて繰り返すと、生成物は非常に粘性があり、注ぐことができない。しかし、５日後、一方の側にひっくり返した時に、その形を保持することができない薄いゲルを形成する。それゆえに、Ｅｔ−ＬＧＫは、より硬く、優れたゲル生成物を作る。
【０２５３】
実施例２４〜２６−ベビーシャンプー製剤
シャンプー製剤２４〜２６を表１４にまとめた成分から調製する。
【０２５４】
【表１４】
0005613763.tif 000021
【０２５５】
これらの製剤の全ては、透明で、均一である。
【０２５６】
実施例２７〜２９−光沢のあるマイルドシャンプー
実施例２７〜２９を表１５に示した成分から調製する。
【０２５７】
【表１５】
0005613763.tif 000022
全ての製剤の色は白色で、均一である。
【０２５８】
実施例３０〜３１−縮れ毛用シャンプー製剤
実施例３０〜３１を表１６の示した成分から調製する。
【０２５９】
【表１６】
0005613763.tif 000023
実施例３０および３１は、予想通り、不透明で、均一である。
【０２６０】
実施例３２〜３３−緑茶を含む体洗浄製剤
実施例３２〜３３を表１７の示した成分から調製する。
【０２６１】
【表１７】
0005613763.tif 000024
【０２６２】
実施例３４〜３５−シャンプー製剤
実施例３４〜３５を表１８の示した成分から調製する。
【０２６３】
【表１８】
0005613763.tif 000025
【０２６４】
実施例３４〜３５は共に、透明で、均一である。
【０２６５】
実施例３６〜３７−シャワー用体洗浄製剤
実施例３６〜３７を表１９の示した成分から調製する。
【０２６６】
【表１９】
0005613763.tif 000026
【０２６７】
実施例３８〜３９−硬表面用洗浄剤
別々の２０ｍｌホウケイ酸ガラスシンチレーションバイアルの中で、フェーズＩおよびフェーズＩＩを調製し、その後、撹拌しながら、フェーズＩＩをフェーズＩにゆっくり注ぐことにより、以下の製剤を作製する。これらの成分を表２０にまとめる。
【０２６８】
【表２０】
0005613763.tif 000027
【０２６９】
実施例３８は、透明で、粘性の低い溶液であるが、実施例３９は、濁った、わずかに粘性のあるエマルションであり、室温で一晩、安定した状態を保つ。
【０２７０】
実施例４０および４１−硬表面用洗浄濃縮物
別々の２０ｍｌホウケイ酸ガラスシンチレーションバイアルの中で、フェーズＩおよびフェーズＩＩを調製し、その後、撹拌しながら、フェーズＩＩをフェーズＩにゆっくり注ぐことにより、以下の製剤を作製する。これらの成分を表２１にまとめる。
【０２７１】
【表２１】
0005613763.tif 000028
【０２７２】
実施例４０および４１は共に透明で、粘性の低い溶液である。８．５重量％の水で希釈すると、実施例４０は透明のままであるが、実施例４１は濁り、わずかに粘性がある。
【０２７３】
実施例４２−石鹸カス剥離剤
５重量％のＥＤＴＡ四ナトリウム、１０重量％の陰イオン性界面活性剤（バイオソフトＤ−４０）、５重量％のＥｔ−ＬＧＫおよび８０重量％の水を混合することによって、実施例４２を作製する。透明で、均一な溶液が得られる。
【０２７４】
実施例４３−界面活性剤が含まない化粧落とし製剤
５重量％のＥｔ−ＬＰＫ、１９．５重量％のＥｔ−ＬＧＫおよび５重量％の水を混合することによって、実施例４３を作製する。生成物は、界面活性剤を含まない、透明で、均一な化粧落とし製剤である。
実施例４４〜４８−界面活性剤を含むアイメイク落とし製剤
実施例４４〜４８を、表２２にまとめた成分から調製する。実施例４４〜４８の成分を、表２３にまとめた順番でビーカーに加え、完全に混合する。
【０２７５】
【表２２】
0005613763.tif 000029
＊本発明の実施例ではない。
【０２７６】
実施例４４〜４８の各々は、透明で、均一な溶液である。